(57)【要約】本発明は、印刷機であって、上下に積み重ねて配置された２つのサテライト型印刷ユニット（０２）を備えた少なくとも１つの第１の印刷タワー（Ｔ１；Ｔ２；Ｔ３）が設けられている形式のものに関する。上位のサテライト型印刷ユニット（０２）の印刷箇所の上方の１水平面上に、少なくとも１つの別の印刷装置（１５１）が配置されている。また本発明は、印刷機の運転形式および印刷製品に関する。
2006513072.tif 000002
【特許請求の範囲】
【請求項１】
印刷機であって、
上下に積み重ねられた２つのサテライト型印刷ユニット（０２）を備えた少なくとも１つの第１の印刷タワー（Ｔ１；Ｔ２；Ｔ３）が設けられている形式のものにおいて、
上位のサテライト型印刷ユニット（０２）の印刷箇所の上方の１水平面上に、少なくとも１つの別の印刷装置（１５１）が配置されていることを特徴とする、印刷機。
【請求項２】
上位のサテライト型印刷ユニット（０２）の印刷箇所の上方に、少なくとも２つの別の印刷装置（１５１）が配置されている、請求項１記載の印刷機。
【請求項３】
印刷機であって、
第１の印刷タワー（Ｔ１；Ｔ２；Ｔ３）に関して上下に積み重ねて配置された少なくとも２つのサテライト型印刷ユニット（０２）を備えている形式のものにおいて、
両方のサテライト型印刷ユニット（０２）に、追加的に上位のサテライト型印刷ユニット（０２）の印刷箇所の上方の１水平面上で、２つの印刷装置（１５１）を備えた別の印刷ユニット（１５２）が対応配置されており、これらの２つの印刷装置（１５１）によって、上下に積み重ねて配置された両方のサテライト型印刷ユニット（０２）において片面で印刷された少なくとも２つのウェブ（Ｂ１０；Ｂ２０；Ｂ３０；Ｂ４０）が、別の片面で単色印刷可能であり、サテライト型印刷ユニット（０２）および別の印刷装置（１５１）の胴が、新聞サイズの、縦置きに相並んで配置された６印刷面を印刷するための幅を有して形成されていることを特徴とする、印刷機。
【請求項４】
サテライト型印刷ユニット（０２）が、オフセット印刷装置として形成された印刷装置を備えている、請求項１または３記載の印刷機。
【請求項５】
別の印刷装置が、間接的な平版印刷のための３胴式印刷装置（１５１）として形成されている、請求項１から３までのいずれか１項記載の印刷機。
【請求項６】
別の２つの印刷装置（１５１）が、６胴式印刷ユニット（１５２）として形成されている、請求項２または３記載の印刷機。
【請求項７】
別の印刷装置（１５１）もしくは少なくとも２つの別の印刷装置（１５１）もしくは６胴式印刷ユニット（１５２）が、第１の印刷タワー（Ｔ１；Ｔ２；Ｔ３）に積み重ねて配置されている、請求項１、２、３または６記載の印刷機。
【請求項８】
別の印刷装置（１５１）もしくは少なくとも２つの別の印刷装置（１５１）もしくは６胴式印刷ユニット（１５２）が、互いに対応配置された２つのサテライト型印刷ユニット（０２）を備えた、第１の印刷タワー（Ｔ１；Ｔ２；Ｔ３）に隣接する印刷タワー（Ｔ１；Ｔ２；Ｔ３）に積み重ねて配置されている、請求項１、２、３または６記載の印刷機。
【請求項９】
印刷タワー（Ｔ１；Ｔ２；Ｔ３）の、互いに対応配置された２つのサテライト型印刷ユニット（０２）によって、選択的に、２つのウェブ（Ｂ１０；Ｂ２０；Ｂ３０；Ｂ４０）が、それぞれ片面で多色印刷可能になっているか、または１つのウェブ（Ｂ１０；Ｂ２０；Ｂ３０；Ｂ４０）が、両面で多色印刷可能になっている、請求項１、３または８記載の印刷機。
【請求項１０】
サテライト型印刷ユニット（０２）が、それぞれ９胴式サテライト型印刷ユニット（０２）として形成されている、請求項３または８記載の印刷機。
【請求項１１】
サテライト型印刷ユニット（０２）と両方の印刷装置（１５１）とが、互いに対応配置されており、１つのウェブが、１運転形式でサテライト型印刷ユニット（０２）の１つと３胴式印刷装置の１つとを通って案内されるようになっている、請求項２または３記載の印刷機。
【請求項１２】
サテライト型印刷ユニット（０２）と両方の印刷装置（１５１）とが、互いに対応配置されており、１つのウェブが、選択的に第１の運転形式で両方のサテライト型印刷ユニットを通って案内され、第２の運転形式でサテライト型印刷ユニットの１つと３胴式印刷装置の１つとを通って案内され、また第３の運転形式で専ら両方の３胴式印刷装置を通って案内されるようになっている、請求項２または３記載の印刷機。
【請求項１３】
サテライト型印刷ユニット（０２）と両方の印刷装置（１５１）とが、互いに対応配置されており、１運転形式で２つのウェブが、それぞれサテライト型印刷ユニット（０２）の１つと３胴式印刷装置（１５１）の１つとを通って案内されるようになっている、請求項２または３記載の印刷機。
【請求項１４】
２つのウェブが、同じ印刷タワー（Ｔ１；Ｔ２；Ｔ３）の両方のサテライト型印刷ユニット（０２）を通って案内されるようになっている、請求項１３記載の印刷機。
【請求項１５】
サテライト型印刷ユニット（０２）と両方の印刷装置（１５１）とが、互いに対応配置されており、選択的に、第１の運転形式で第１のウェブが、両方のサテライト型印刷ユニットを通って案内され、かつ第２のウェブが、両方の３胴式印刷装置を通って案内され、また第２の運転形式で２つのウェブが、それぞれサテライト型印刷ユニットの１つと３胴式印刷装置（１５１）の１つとを通って案内されるようになっている、請求項２または３記載の印刷機。
【請求項１６】
２つのウェブが、印刷タワー（Ｔ１；Ｔ２；Ｔ３）と両方の印刷装置（１５１）とを通って案内されていて、これらのウェブが、印刷後にそれぞれ片面で多色印刷され、かつ別の片面で単色印刷されるようになっている、請求項２または３記載の印刷機。
【請求項１７】
２つのうちの１つのウェブが、印刷タワー（Ｔ１；Ｔ２；Ｔ３）を通って案内され、かつ別の１つのウェブが、専ら両方の印刷装置（１５１）を通って案内されていて、１つのウェブが、両面で多色印刷され、かつ別の１つのウェブが、両面で単色印刷されるようになっている、請求項２または３記載の印刷機。
【請求項１８】
２つのうちの１つのウェブが、印刷タワーを通って案内され、かつ別の１つのウェブが、専ら両方の印刷装置（１５１）を通って案内されていて、１つのウェブが、両面で多色印刷され、かつ別の１つのウェブが、片面で２色印刷されるようになっている、請求項２または３記載の印刷機。
【請求項１９】
印刷機であって、
それぞれ２つのサテライト型印刷ユニットを備えた複数の印刷タワー（Ｔ１；Ｔ２；Ｔ３）を備えている形式のものにおいて、
当該印刷機が、追加的に少なくとも２つの３胴式印刷装置（１５１）か、または２つの３胴式印刷装置（１５１）を備えた１つの６胴式印刷ユニット（１５２）を備えており、２つの印刷装置（１５１）または６胴式印刷ユニット（１５２）が、互いに対になって隣接する少なくとも２つの印刷タワー（Ｔ１；Ｔ２；Ｔ３）に積み重ねて配置されており、サテライト型印刷ユニット（０２）および別の印刷装置（１５１）の胴が、新聞サイズの、縦置きに相並んで配置された６つの印刷面を印刷するための幅を有して形成されていることを特徴とする、印刷機。
【請求項２０】
サテライト型印刷ユニット（０２）の印刷装置（１３）が、それぞれ少なくとも残りの印刷装置（１３）から機構的に独立した駆動モータ（６１）によって駆動されるようになっている、請求項１、３または１９記載の印刷機。
【請求項２１】
当該印刷機が、それぞれ対になって隣接する少なくとも３つの印刷タワー（Ｔ１；Ｔ２；Ｔ３）を備えており、２つの３胴式印刷装置（１５１）または少なくとも１つの６胴式印刷ユニットが、３つのうちの１つの印刷タワー（Ｔ１；Ｔ２；Ｔ３）に積み重ねて配置されている、請求項１、４または１９記載の印刷機。
【請求項２２】
３つの印刷タワーに、共通の１つの６胴式印刷ユニットもしくは共通の２つの３胴式印刷装置（１５１）が対応配置されており、６胴式印刷ユニットもしくは３胴式印刷装置（１５１）が、３つのうちの中央の印刷タワー（Ｔ１；Ｔ２；Ｔ３）に積み重ねて配置されている、請求項２１記載の印刷機。
【請求項２３】
３つのウェブが、両方の印刷タワー（Ｔ１；Ｔ２；Ｔ３）と６胴式印刷ユニット（１５２）もしくは両方の印刷装置（１５１）とを通って案内されていて、これらのウェブのうちの２つのウェブが、印刷後にそれぞれ片面で多色印刷され、かつ別の片面で単色印刷され、また第３のウェブが、両面で多色印刷されるようになっている、請求項１９記載の印刷機。
【請求項２４】
３つのうちの２つのウェブが、２つの印刷タワー（Ｔ１；Ｔ２；Ｔ３）を通って案内されていて、かつ第３のウェブが、専ら６胴式印刷ユニット（１５２）もしくは両方の印刷装置（１５１）を通って案内されていて、両方のウェブが、両面で多色印刷され、また第３のウェブが、両面で単色印刷されるようになっている、請求項１９記載の印刷機。
【請求項２５】
４つのウェブが、３つの印刷タワーと６胴式印刷ユニットとを通って案内されていて、４つのうちの２つのウェブが、印刷後に片面で多色印刷され、かつ別の片面で単色印刷され、また別の２つのウェブが、両面で多色印刷されるようになっている、請求項２１記載の印刷機。
【請求項２６】
印刷機が、印刷タワー（Ｔ１；Ｔ２；Ｔ３）の１つから６胴式印刷ユニット（１５２）もしくは２つの印刷装置（１５１）にウェブを案内するための手段を備えている、請求項１から２５までのいずれか１項記載の印刷機。
【請求項２７】
多色印刷された面が、４色印刷されている、請求項９、１６、１７、１８、２３、２４または２５記載の印刷機。
【請求項２８】
４つのウェブが、３つの印刷タワーと６胴式印刷ユニットとによって印刷され、片面で多色印刷されかつ別の片面で単色印刷された２つのウェブが、印刷後に、折りフォーマ構造（ＴＲ）に向かう経路上で、両面で多色印刷された２つのウェブの間に位置する、請求項２５記載の印刷機の運転形式。
【請求項２９】
片面で多色印刷されかつ別の片面で単色印刷された２つのウェブが、３つのうちの中央の印刷タワーと６胴式印刷ユニットとを通走するようになっている、請求項２５記載の印刷機または請求項２８記載の運転形式。
【請求項３０】
４つのウェブが、３つの印刷タワーと６胴式印刷ユニットとによって印刷されるようになっていて、片面で多色印刷されかつ別の片面で単色印刷された２つのウェブが、印刷後に、折りフォーマ構造（ＴＲ）に向かう経路上で、両面で多色印刷された２つのウェブの下方に位置するようになっている、請求項２５記載の印刷機または請求項２８記載の運転形式。
【請求項３１】
片面で多色印刷されかつ別の片面で単色印刷された２つのウェブが、３つの印刷タワーのうちの、折りフォーマ構造（ＴＲ）に近接する印刷タワーと６胴式印刷ユニットとを通走するようになっている、請求項２５記載の印刷機または請求項２８記載の運転形式。
【請求項３２】
４つのウェブが、３つの印刷タワーと６胴式印刷ユニットとによって印刷されるようになっていて、片面で多色印刷されかつ別の片面で単色印刷された２つのウェブが、印刷後に、折りフォーマ構造（ＴＲ）に向かう経路上で、両面で多色印刷された２つのウェブの上方に位置するようになっている、請求項２５記載の印刷機または請求項２８記載の運転形式。
【請求項３３】
片面で多色印刷されかつ別の片面で単色印刷された２つのウェブが、３つの印刷タワーのうちの、折りフォーマ構造（ＴＲ）から離間して位置する印刷タワーと６胴式印刷ユニットとを通走するようになっている、請求項２５記載の印刷機または請求項２８記載の運転形式。
【請求項３４】
印刷機が、ウェブを案内するための手段を備えており、該ウェブガイド手段が、選択的に請求項２８、３０および／または３２に記載の印刷機の運転を実現するようになっている、請求項２５記載の印刷機または請求項２８記載の運転形式。
【請求項３５】
サテライト型印刷ユニット（０２）が、それぞれ版胴（１６）および転写胴（１７）から成る複数の胴対と、少なくとも１つの転写胴（１７）と協働する少なくとも１つの共通圧胴（１８）とを備えている、請求項１から３４までのいずれか１項記載の印刷機。
【請求項３６】
サテライト型印刷ユニット（０２）が、４つの胴対と、４つの転写胴（１７）に対応配置された１つの共通圧胴（１８）とを備えている、請求項３５記載の印刷機。
【請求項３７】
サテライト型印刷ユニット（０２）が、４つの胴対と、それぞれ２つの転写胴（１７）に対応配置された２つの共通圧胴（１８）とを備えている、請求項３５記載の印刷機。
【請求項３８】
それぞれ２つの胴対が、駆動結合部として、別の駆動結合部から独立した共通の駆動モータ（６１）によって回転駆動されるようになっている、請求項３５記載の印刷機。
【請求項３９】
共通圧胴（１８）が、駆動結合部の１つによって駆動されるようになっている、請求項３８記載の印刷機。
【請求項４０】
共通圧胴（１８）が、少なくとも１つの独自の駆動モータ（６１）によって、胴対から独立して駆動されるようになっている、請求項３５、３６、３７または３８記載の印刷機。
【請求項４１】
両方の共通圧胴（１８）が、少なくとも１つの共通の駆動モータ（６１）によって、胴対から独立して駆動されるようになっている、請求項３７記載の印刷機。
【請求項４２】
胴対が、少なくとも１つの独自の駆動モータ（６１）によって、別の胴対から独立して駆動されるようになっている、請求項３５、３６または３７記載の印刷機。
【請求項４３】
胴対の各胴（１６；１７）が、独自の駆動モータ（６１）を備えている、請求項３５、３６または３７記載の印刷機。
【請求項４４】
胴対の両方の胴（１６；１７）が、互いに連結されていて、かつ共通の駆動モータ（６１）によって駆動されるようになっている、請求項３５、３６または３７記載の印刷機。
【請求項４５】
インキ装置（１４）が、該インキ装置に対応配置された版胴（１６）の駆動によって駆動されるようになっている、請求項３８、４３または４４記載の印刷機。
【請求項４６】
インキ装置（１４）が、該インキ装置に対応配置された版胴（１６）の駆動から独立して、独自の駆動モータ（６４）によって駆動されるようになっている、請求項３８、４３または４４記載の印刷機。
【請求項４７】
別の印刷装置（１５１）が、版胴（１６）および転写胴（１７）から成る胴対と、転写胴（１７）と協働する共通圧胴（１８）とを備えている、請求項１から４６までのいずれか１項記載の印刷機。
【請求項４８】
６胴式印刷ユニット（１５２）が、それぞれ版胴（１６）および転写胴（１７）から成る２つの胴対と、胴対ごとに１つの、転写胴（１７）と協働する対抗圧胴（１８）とを備えている、請求項１から４７までのいずれか１項記載の印刷機。
【請求項４９】
単数または複数の胴対が、少なくとも１つの独自の駆動モータによって、別の胴対から独立して駆動されるようになっている、請求項４７または４８記載の印刷機。
【請求項５０】
単数または複数の胴対の各胴が、独自の駆動モータを備えている、請求項４７または４８記載の印刷機。
【請求項５１】
胴対の両方の胴（１６；１７）が、互いに連結されていて、かつ共通の駆動モータによって駆動されるようになっている、請求項４７または４８記載の印刷機。
【請求項５２】
インキ装置が、該インキ装置に対応配置された版胴（１６）の駆動によって駆動されるようになっている、請求項４７、４８、４９、５０、または５１記載の印刷機。
【請求項５３】
インキ装置が、該インキ装置に対応配置された版胴（１６）の駆動から独立して、独自の駆動モータによって駆動されるようになっている、請求項４７、４８、４９、５０、または５１記載の印刷機。
【請求項５４】
対抗圧胴が、独自の駆動モータによって、胴対および別の対抗圧胴（１８）から独立して駆動されるようになっている、請求項４７または４８記載の印刷機。
【請求項５５】
両方の対抗圧胴（１８）が、少なくとも１つの共通の駆動モータによって、胴対から独立して駆動されるようになっている、請求項４８記載の印刷機。
【請求項５６】
対抗圧胴（１８）が、該対抗圧胴（１８）に対応配置された胴対によって駆動されるようになっている、請求項４７または４８記載の印刷機。
【請求項５７】
胴対の胴（１６；１７）が、対ごとにそれぞれ１つの駆動モータによって駆動されるようになっており、対抗圧胴（１８）が、それぞれ個別的に各駆動モータによって駆動されるようになっている、請求項４８記載の印刷機。
【請求項５８】
３つの印刷タワー（Ｔ１；Ｔ２；Ｔ３）で印刷したあとで折りフォーマ走入経路上で隣接する４つのうちの２つのウェブが、それぞれ片面で多色印刷、特に４色印刷されかつ別の片面で単色印刷され、また別の２つのウェブが、両面で多色印刷、特に４色印刷されるようになっていることを特徴とする、印刷機の印刷製品。
【請求項５９】
４つのウェブが、下方から上方にかけてみて、最下位の第１のウェブ１：４（下面１色：上面４色）、第２のウェブ４：１、第３のウェブ４：４および第４のウェブ４：４の色調を有している、請求項５８記載の印刷製品。
【請求項６０】
４つのウェブが、下方から上方にかけてみて、最下位の第１のウェブ４：４（下面４色：上面４色）、第２のウェブ１：４、第３のウェブ４：１および第４のウェブ４：４の色調を有している、請求項５８記載の印刷製品。
【請求項６１】
４つのウェブが、下方から上方にかけてみて、最下位の第１のウェブ４：４（下面４色：上面４色）、第２のウェブ１：４、第３のウェブ４：１および第４のウェブ４：４の色調を有している、請求項５８記載の印刷製品。
【請求項６２】
３つの印刷タワー（Ｔ１；Ｔ２；Ｔ３）で印刷したあとで折りフォーマ走入経路上で隣接する４つのうちの３つのウェブが、それぞれ両面で多色印刷、特に４色印刷され、また別の１つのウェブが、両面で単色印刷されるようになっていることを特徴とする、印刷機の印刷製品。
【請求項６３】
４つのウェブが、下方から上方にかけてみて、最下位の第１のウェブ４：４（下面４色：上面４色）、第２のウェブ１：１、第３のウェブ４：４および第４のウェブ４：４の色調を有している、請求項６２記載の印刷製品。
【請求項６４】
４つのウェブが、下方から上方にかけてみて、最下位の第１のウェブ４：４（下面４色：上面４色）、第２のウェブ４：４、第３のウェブ１：１および第４のウェブ４：４の色調を有している、請求項６２記載の印刷製品。
【請求項６５】
印刷装置が、特に新聞サイズの、縦置きに相並んで配置された６つの印刷面を印刷するための幅を有して形成されている、請求項１から６４までのいずれか１項記載の印刷機、印刷機の運転形式または印刷製品。
【請求項６６】
印刷装置の少なくとも版胴の周長さが、実質的に特に新聞サイズの２印刷面の２倍長さである長さに相当する、請求項１から６５までのいずれか１項記載の印刷機、印刷機の運転形式または印刷製品。
【請求項６７】
印刷装置の版胴（１６）が、軸方向で相並んで６つの版板を備えている、請求項１から６６までのいずれか１項記載の印刷機、印刷機の運転形式または印刷製品。
【請求項６８】
単数または複数の印刷済のウェブ（Ｂ１０；Ｂ２０；Ｂ３０；Ｂ４０）を後続処理するために、搬送胴（１２３）を備えた折り装置（１２）が設けられており、該搬送胴（１２３）が、周方向で相前後して配置された少なくとも７つの製品区分長さを収容するための周長さを有して形成されている、請求項１、３または１４記載の印刷機。
【請求項６９】
単数または複数の印刷済のウェブ（Ｂ１０；Ｂ２０；Ｂ３０；Ｂ４０）を後続処理するために、折り装置（１２）が設けられており、該折り装置の胴（１２３；１３２；１２７）が、印刷ユニット（０２；１５２）の印刷装置（１３；１５１）から機構的に独立した少なくとも１つの駆動モータ（１３６）によって駆動されるようになっている、請求項１、３または１４記載の印刷機。
【請求項７０】
折り装置（１２）が、搬送胴（１２３）を備えており、該搬送胴（１２３）が、周方向で相前後して配置された少なくとも７つの製品区分長さを収容するための周長さを有して形成されている、請求項６９記載の印刷機。
【請求項７１】
搬送胴（１２３）に、相並んで配置された３つの折りフォーマ（１０１；１０２；１０３；１０６；１０７；１０８）から同時に３つのストランド（１０９；１１１；１１２；１１３；１１４；１１６）が供給可能になっている、請求項６８または７０記載の印刷機。
【請求項７２】
搬送胴（１２３）が、周方向でみて相前後して７つの保持装置（１２９）を備えている、請求項６８または７０記載の印刷機。
【請求項７３】
折り装置（１２）が、入口領域で、それぞれ独立して駆動される２つの引張りローラ（１２４）を備えている、請求項６８または６９記載の印刷機。
【請求項７４】
折り装置（１２）が、搬送胴（１２３）と協働する２つの断裁胴（１２７）を備えている、請求項６８または７０記載の印刷機。
【請求項７５】
サテライト型印刷ユニット（０２）、追加的な単数または複数の印刷装置（１５１）ならびに折り装置（１２）が、それぞれ機構的に互いに独立して駆動モータ（６１；１３６）によって回転駆動されるようになっている、請求項６８または７０記載の印刷機。
【請求項７６】
上下に積み重ねて配置された複数のサテライト型印刷ユニット（０２）および複数の３胴式印刷装置（１５１）が、軸方向で相並んで配置された複数の版板（１９）のためのスリット状の複数の開口を有する複数の版胴（１６）を備えており、これらの開口が、連続して延びるスリット状の開口として列状に配置されている、請求項１、３または１９記載の印刷機。
【請求項７７】
上下に積み重ねて配置された複数のサテライト型印刷ユニット（０２）および複数の３胴式印刷装置（１５１）が、転写胴（１７）に沿って相並んで配置された３つのゴムブランケット（２１）のための複数の開口を有する複数の転写胴（１７）を備えている、請求項１、３または１９記載の印刷機。
【請求項７８】
複数の開口が、長手方向で連続して延びておらず、交互に周方向でみて１８０°ずらされている、請求項７７記載の印刷機。
【請求項７９】
上下に積み重ねて配置された複数のサテライト型印刷ユニット（０２）および複数の３胴式印刷装置（１５１）が、外套面に被覆体（２１）を有する複数の転写胴（１７）を備えており、これらの転写胴（１７）が、胴表面に弾性かつ／または圧縮性の層（２２）の配置された支持板（２３）を備えている、請求項１、３または１９記載の印刷機。
【請求項８０】
３胴式印刷装置（１５１）の、版胴（１６）および転写胴（１７）として形成された胴対が、少なくとも１つの独自の駆動モータ（６１）によって、別の胴対から独立して駆動されるようになっている、請求項１、３または１９記載の印刷機。
【発明の詳細な説明】
【技術分野】
【０００１】
本発明は、請求項１、３、１９、５８または６２の上位概念に記載の形式の、印刷機、印刷機の運転形式ならびに印刷製品に関する。
【０００２】
“Ｄｅｒ  Ｒｏｌｌｅｎｏｆｆｓｅｔｄｒｕｃｋ”  ｖｏｎ  Ｗ．Ｗａｌｅｎｓｋｉ，Ｆａｃｈｓｃｈｒｉｆｔｅｎｖｅｒｌａｇ  ＧｍｂＨ  ＆  Ｃｏ．  ＫＧ，１９９５の９６および９７頁に、オフセット印刷におけるウェブガイドおよび印刷ユニットのための様々な配置構造、たとえば上下に積み重ねて配置された２つの９胴式サテライト型印刷ユニットが開示されている。
【０００３】
“Ｏｆｆｓｅｔｄｒｕｃｋｔｅｃｈｎｉｋ”  ｖｏｎ  Ｈ．Ｔｅｓｃｈｎｅｒ，  Ｆａｃｈｓｃｈｒｉｆｔｅｎｖｅｒｌａｇ  ＧｍｂＨ  ＆  Ｃｏ．  ＫＧ，  １９９５の１０／３２頁の図６に、９胴式サテライト型印刷ユニットが開示されており、９胴式サテライト型印刷ユニットに、４／１印刷のための３胴式カラーデッキ（Drei-Zylinder-Colordeck）が配置されている。
【０００４】
ドイツ連邦共和国特許出願公開第２５２８００８号明細書には、ダイレクト印刷法のための印刷機が開示されており、ここでは版胴が設けられており、版胴に軸方向で６つ、かつ周方向で２つの版板が装着可能であり、対抗圧胴が設けられており、対抗圧胴に軸方向で３つ、かつ周方向で１つのブランケット（Druckfilz）が取付可能である。相並んで配置された版板も、相並んで配置されたブランケットも、それぞれ周方向でずらして配置されている。
【０００５】
ドイツ連邦共和国特許出願公開第２５１００５７号明細書にも、ダイレクト印刷法を用いた印刷機が開示されており、ここでは対抗圧胴と協働する版胴が、幅に沿って６つ、周面に沿って２つの版板を支持している。
【０００６】
特開昭５６−０２１８６０号公報によって、版胴と転写胴と対抗圧胴とを備えた印刷装置が公知であり、ここではこれら３つの胴がそれぞれ独自の駆動モータによって駆動される。
ドイツ連邦共和国特許出願公開第４１２８７９７号明細書によって、それぞれ上下に位置する異なる２つの水平面上に配置された２つの折りフォーマを備えた３倍幅のウェブ輪転印刷機が公知である。
【０００７】
“Ｎｅｗｓｐａｐｅｒｓ  ＆  Ｔｅｃｈｎｏｌｏｇｙ”，  Ｄｅｃｅｍｂｅｒ２０００から、６新聞頁幅の印刷装置を備えた印刷機が公知である。印刷装置は、アーチ型印刷装置として形成されており、ここでは転写胴はゴムブランケットスリーブで被覆されている。
【０００８】
国際公開第０１／７０６０８号パンフレットには、ターニングバー配置構造が開示されており、ここでは実質的に部分ウェブ幅の２つのターニングバーが、それぞれ走入する部分ウェブの方向に対して横向きで移動可能に支持体に配置されている。サイドフレームの外側にレジスタローラが配置されており、レジスタローラの長手軸線は、サイドフレームに対してほぼ平行に延びており、レジスタローラはレールに沿って、走入する部分ウェブの方向に対して横方向で移動可能である。
【０００９】
米国特許第４６７１５０１号明細書から折り構造が公知であり、ここでは２つの折りフォーマが上下に配置されており、ウェブは、搬送ローラを通走したあとで、第３のフォーマの手前で縦断裁され、部分ウェブは第３のフォーマを介して９０°変向され、次いで２つのストランドにまとめられ、上下に配置された両方のフォーマに供給される。
【００１０】
欧州特許公開第１０７２５５１号明細書によって、鉛直方向で互いにずらして配置された２つの折りフォーマ群を備えた折り構造が公知である。各折りフォーマ群の上方には、ハープ、つまり集合ローラ、テイクオフローラまたはハープローラから成るローラ群が配置されており、このハープを介して該当する部分ウェブが所属の折りフォーマ群に供給される。
【００１１】
国際公開第９７／１７２００号パンフレットによって、折り構造が公知であり、この折り構造に基づいて断裁された、横方向で互いにずらされた部分ウェブは、それぞれ異なる折りフォーマに供給される。水平方向で相並んで配置された折りフォーマは、一部で鉛直方向で互いにずらして配置されている。
【００１２】
ドイツ連邦共和国特許出願公開第４４１９２１７号明細書には、ターニング装置を備えたウェブ輪転印刷機の上部構造が記載されており、ここでは部分ウェブを上下で案内して、共通の折りフォーマに供給するために、部分ウェブが半分の部分ウェブ幅だけずらされる。
【００１３】
欧州特許公開第０６３８４１９号明細書には、それぞれ上下に積み重ねて配置された２つのサテライト型印刷ユニットから成る、互いに隣接する印刷タワーが開示されている。
【００１４】
Ｆｉｎｋｂｅｉｎｅｒ  Ｇ．“Ｉｎｖｅｓｔｉｔｉｏｎｓｅｎｔｓｃｈｅｉｄｕｎｇｅｎ  ｉｍ  Ｚｅｉｔｕｎｇｓｄｒｕｃｋ  ｓｏｌｌｅｎ  ｓｉｃｈ  ｉｍｍｅｒ  ａｎ  ｄｅｒ  ｇｅｐｌａｎｔｅｎ  Ａｕｓｌａｓｔｕｎｇ  ｏｒｉｅｎｔｉｅｒｅｎ”，  Ｄｅｕｔｓｃｈｅｒ  Ｄｒｕｃｋｅｒ，  Ｎｒ．３６／３０．０９．１９９３、Ｗ３５〜Ｗ３７頁、ＸＰ０００３９８１７６によって、特にサテライト型印刷ユニットに上下に積み重ねて配置された３胴式または６胴式印刷ユニットから成る印刷タワーが開示されている。
【００１５】
ドイツ連邦共和国特許第２４２２６９６号明細書には、オフセット印刷装置を備えた６版板幅のサテライト型印刷ユニット（９胴または１０胴）が記載されており、ここでは軸方向で相並んで配置された６つの版板のうちの中央の両方の版板が、外側の版板に対して周方向でずらして版胴に配置されている。
【００１６】
本発明の課題は、印刷機、印刷機の運転形式ならびに印刷製品を提供することである。
【００１７】
この課題は、請求項１、３、１９、５８もしくは６２の特徴部に記載した構成手段によって解決される。
【００１８】
本発明で得られる利点によれば、特に製品もしくは中間製品において大きな多様性が実現されると共に、特にスペースを節減する経済的で簡単な構造形式が実現される。
【００１９】
特に有利には、２倍幅の印刷機に対して、達成しようとする製品の目標厚さが同じ場合、生産確実性は大幅に高められる。印刷ユニット数が維持される場合、印刷機もしくは各印刷装置の生産量は５０％高めることができる。
【００２０】
ロール交換器の数（投資）、ロール交換の頻度（生産確実性）ならびにウェブを引き込む際の装着時間（サイクルタイム）は、製品厚さが同じ場合、２倍幅の印刷機に比べて低減することができる。
【００２１】
有利な実施形態では、印刷ユニットは９胴式サテライト型印刷ユニットとして形成されており、このことによって一方では色見当合わせの高い精度が得られ、また他方では振動の少ない構造形式が得られる。振動は、胴に沿った被覆体の有利な配置、構成および固定によっても低減される。また周方向で外套面に設けられる開口も低減される。さらにまた少なくとも転写胴において開口は、次のように交互に周方向でずらして配置することができ、つまり少なくとも区分長さで、閉鎖された外套面が版胴もしくは共通圧胴と常に協働するように配置することができる。そして丸み部に有効全長にわたって軸方向で一貫する通路が設けられており、外套面に向いた開口が前記区分にしか設けられていないことによって、真円に対するずれの程度および製作コストが低減される。通路には、たとえば選択的に被覆体端部および／または充填部材を固定するための装置を挿入することができる。
【００２２】
版胴の単数または複数の通路に、軸方向で少なくとも６つの、版を軸方向で位置決めするための装置が配置されている。これらの装置は、たとえば版端部と形状結合式（formshluessig；形状による束縛）に協働するレジスタピンとして構成されており、これらのレジスタピンは、通路の内側で、手動でまたは遠隔操作可能で軸方向運動可能に配置されている。
【００２３】
レジスタもしくは見当に対して正確に、版胴に版を再現可能に装着することに関して有利には、印刷装置に所属の押圧装置が設けられている。押圧装置によって胴の外套面に載設している被覆体は、それぞれ少なくとも１つの押圧エレメントによって必要に応じて固定することができ、これに対して単数または複数の被覆体の端部は、取り外しまたは装着のために解放されている。
【００２４】
単数（もしくは複数の）共通圧胴を胴対から機構的に独立して駆動することは、特に多様な運転を実現することに関して特に有利である。たとえば生産中に装着、たとえば瞬間的な版交換または洗浄を行うことができる。また別の胴もしくは胴対が停止しているか、または装着プログラムが行われている間に、ウェブを引き出すこともできる。ポジティブまたはネガティブな搬送特性を有するゴムブランケットが提供される場合に、有利には、共通圧胴が、残りの胴とは異なる表面速度で運転される。
【００２５】
有利な実施形態では、印刷機の上部構造が、紙走行方向に対して横向きに相互間隔を有する少なくとも５つのナイフを備えた少なくとも１つの縦断裁装置を備えている。有利な実施形態では、印刷タワーごと（もしくは８つの印刷箇所ごと）に、部分ウェブの走行経路を補整するための、紙走行方向に対して横向きに運動可能な２つのレジスタ装置が設けられている。これらのレジスタ装置は、１実施形態では、構造的に部分ウェブ幅のターニング装置と結合することができる。単に部分ウェブに対応配置された後続のガイドエレメントも、たとえば実質的に単に部分ウェブ幅で構成されている。このような実施形態によって、振動の少ない、ひいては見当精度の高いウェブ搬送が実現される。単に部分ウェブによって駆動される長くて太いガイドエレメントに起因するウェブ張力変動（たとえば負荷変化、印刷速度変化の場合）は、効果的に低減することができる。
【００２６】
確実な運転および経済的な構造形式に関して、有利には、上部構造に、半分の部分ウェブの奇数倍だけ部分ウェブをターニングする構成手段が設けられている。これによって半分のフォーマ幅（たとえば１新聞頁）を有する部分ウェブの引き出しおよび印刷を省略することができる。
【００２７】
コストおよびスペースの節減される構造形式に関して、有利な実施形態では、上下に配置された２つの折りフォーマのうちの１つに、いわゆるハープ、つまり原則として非駆動式の複数の搬送ローラが前置されている。ハープからウェブを別の折りフォーマに搬送することができる。鉛直方向で上下に配置された両方の折りフォーマに、整合された上下に位置する部分ウェブから様々な厚さもしくは部分ウェブ数のストランドが供給可能である。
【００２８】
１実施形態によれば、部分ウェブは、一方のフォーマ群に対応配置されたハープから、別の一方のフォーマ群に、またこの逆に供給可能である。有利な実施形態では、単に上下に配置された２つの折りフォーマの１つに、ハープ、つまり原則として非駆動式の複数の搬送ローラ（集合ローラまたはテイクオフローラとも呼ばれる）が前置されている。別の一方の折りフォーマに、共通のハープからウェブが搬送可能である。鉛直方向で上下に配置された両方の折りフォーマに、整合された上下に位置する部分ウェブから様々な厚さもしくは部分ウェブ数のストランドが供給可能である。
【００２９】
ターニング装置の有利な実施形態では、部分ウェブが、半分の部分ウェブ幅の奇数倍だけ変位可能であるか、もしくは変位されている。そうしてたとえば僅かなコストで、極めて狭幅のウェブを印刷するか、もしくは追加的に印刷ユニットを設けることを回避することができる。少なくとも１つのターニングバーをウェブに対して横向きに運動可能に構成することによって、大きな多様性が実現される。
フォーマ構造および／または折り装置のローラを、印刷ユニットから機構的に独立して駆動することは、特に良好なレジスタおよび多様な運転形式に関して有利である。
【００３０】
６胴式印刷ユニットおよびウェブガイドによって得られる利点によれば、特に高い生産多様性が得られ、また記載の駆動状況に関してフレキシブルで正確な駆動が実現される。
【００３１】
次に本発明の実施例を図示し、詳しく説明する。
【００３２】
図１に示した輪転印刷機は、それぞれ少なくとも２つの印刷タワー０１を有する左側および右側のセクションを備えている。印刷タワー０１は、複数の印刷ユニット０２を備えており、これらの印刷ユニット０２は、たとえば少なくとも３倍幅で、つまり胴軸方向で相並んで配置されたそれぞれ６新聞頁を印刷するために形成されている。印刷ユニット０２は、たとえばサテライト型印刷ユニット０２として形成されている。有利には９胴式サテライト型印刷ユニット０２として形成された印刷ユニット０２は、極めて良好な見当合わせ精度もしくは小さなファンアウトを保証する。しかもまた印刷ユニット０２は、１０胴式サテライト型印刷ユニット０２として、また場合によってはブランケット胴対ブランケット胴型−印刷（Gummi-gegen-Gummi-Druck）で運転可能な印刷ユニット、たとえば複数のアーチ型印刷ユニット（Brueckendruckeiheit）もしくはＨ型印刷ユニット０２として形成することもできる。印刷ユニット０２にウェブ０３が、図示していないロールから、特に自動紙継ぎ装置（Rollenwechsler；ロール交換機）を使用して供給される。
印刷タワー０１もしくは印刷ユニット０２を通走するウェブ０３の下流側、ここでは印刷タワー０１の上方で、セクションごとに１つの上部構造０４が設けられており、上部構造０４では単数もしくは複数のウェブ０３が縦断裁装置０６で断裁され、部分ウェブは、ターニング装置０７によって場合によっては変位かつ／または上下移動（stuerzen）され、図１に略示したレジスタ装置０８によって縦見当合わせで互いに整列して上下に重ね合わせて案内することができる。ウェブ走行方向でみて下流側で、上部構造０４は、ウェブ０３もしくは部分ウェブ０３ａ，０３ｂ，０３ｃを案内する、上下に配置された幾つかのハープローラ（Harfenwalzen）または搬送ローラ（Auflaufwalzen）を有する少なくとも１つのいわゆるハープ（Harfe）０９を備えている。ハープ０９は、上下に案内されたウェブ０３のフォーマ走入を規定する。このハープ０９を介して、ウェブ０３は方向転換され、これに続いて単数または複数のストランド（Strang；縦断裁されたウェブ部分、リボン）としてまとめられ、少なくとも１つの折り構造１１に供給される。
たとえばセクションの間に２つの折り構造１１が配置されており、これらの折り構造１１は、たとえば上下に位置するそれぞれ異なる２水平面上に配置された折りフォーマを備えている。この印刷機は、セクションの間に配置された共通の単個の折り構造１１を備えることも、また１つのセクションと、これに対応配置された１つの折り構造１１とを備えることもできる。各折り構造１１は、１水平面上に位置する折りフォーマを備えるように形成してもよい。各折り構造１１に単数または複数の折り装置１２が対応配置されている。
印刷ユニット０２は、複数たとえば４つの印刷装置１３を備えており、これらの印刷装置１３によってインキがインキ装置１４から版胴１６として形成された少なくとも１つの胴１６を介してウェブ０３に被着可能である（図２）。サテライト型印刷ユニット０２として形成された印刷ユニット０２の実施例では、印刷装置１３は、湿式オフセットのためのオフセット印刷装置１３として形成されていて、かつインキ装置１４に対して追加的に湿し装置２０を備えていて、さらにまた転写胴１７として形成された胴１７を備えている。転写胴１７は、対抗受けを成す圧胴１８と共に印刷部位としての印刷箇所（実際に印刷の行われる箇所）を形成する。図１の実施例では、圧胴１８は共通圧胴１８として形成されており、この圧胴１８は別の印刷装置１３の別の転写胴１７と共に胴入れ状態（接触状態）で別の印刷箇所を形成する。圧胴１８は、ブランケット胴対ブランケット胴型−印刷の２円筒印刷装置（Doppeldruckwerk）として印刷装置が形成されている場合、転写胴１８として形成することもできる。図面において同じ構成部材には、区別する必要がない場合、同じ符号を付した。空間位置的な違いは存在するが、これについては同じ符号で示しているものに関しては原則として考慮していない。
【００３３】
印刷装置１４は、有利な実施例では、６印刷面にわたって延びるインキ溝１５を備えている。別の実施例では、それぞれほぼ２印刷面幅の３つのインキ溝１５が軸方向で相並んで配置されている。湿し装置２０は、有利な実施例では、４本ローラ式の噴霧式湿し装置２０として形成されている。
【００３４】
版胴１６は、第１実施例では、たとえば８５０〜１０００ｍｍ、特に９００〜９４０ｍｍの周長さ（胴の周方向でみた長さ）を有している。この周長さはたとえば縦に並べた２印刷面、たとえばブロードシート判（Broadsheetformat）の新聞頁を収容するために、周方向で版胴１６に沿って相前後して固定可能な被覆体１９、たとえばフレキシブルな版１９によって形成されている。版１９は、周方向で版胴１６に取付可能でおり、かつ図３に示した実施例では、軸方向で１印刷面を備えた個々の版として個別的に交換可能である。
【００３５】
版胴１６の利用可能な丸み部（胴枕、支承部を除いた実際の印刷のために利用可能な円筒部分）の長さ（軸方向長さ）Ｌ１６は、第１実施例ではたとえば１８５０〜２４００ｍｍ、特に１９００〜２３００ｍｍであり、かつ軸方向でたとえば相並んで配置された少なくとも６つの印刷面、特にブロードシート判の新聞頁を受容するために寸法設定されている（図３、区分Ａ〜Ｆ参照）。この場合軸方向で版１９にそれぞれ単数または複数の印刷面を（相並んで）配置するかについては、とりわけ製作しようとする製品の種類に関連している。第１実施例の有利なバリエーションでは、利用可能な丸み部の長さＬ１６は２０００〜２４００ｍｍである。
第２実施例では、版胴１６は、たとえば９８０〜１３００ｍｍ、特に１０００〜１２００ｍｍの周長さを有している。この場合利用可能な丸み部の軸方向長さＬ１６は、たとえば１９５０〜２４００ｍｍ、特に２０００〜２４００ｍｍである。配置構造は前述の実施例に相当する。
【００３６】
転写胴１７は、第１実施例では、版胴１６と同様にたとえば８５０〜１０００ｍｍ、特に９００〜９４０ｍｍの周長さを有している。転写胴１７の利用可能な丸み部の軸方向長さＬ１７は、第１実施例ではたとえば１８５０〜２４００ｍｍ、特に１９００〜２３００ｍｍであり、この長さＬ１７に、縦方向で相並んでたとえば３つの被覆体２１、たとえばゴムブランケット２１が配置されている（区分ＡＢ〜ＥＦ）。これらの被覆体２１は、周方向で実質的に完全な周にわたって延びている。ゴムブランケット２１は、運転状態で印刷装置１３の振動特性に有利な作用を及ぼすには、たとえば交互に１８０°ずつずらして配置されている（図３）。第１実施例の比較的広幅なバリエーションでは、利用可能な丸み部の長さＬ１７は、同様に２０００〜２４００ｍｍである。
【００３７】
第２実施例では、転写胴１７は、たとえば９８０〜１３００ｍｍ、特に１０００〜１２００ｍｍの周長さを有している。この場合利用可能な丸み部の軸方向長さＬ１７は、たとえば１９５０〜２４００ｍｍ、特に２０００〜２４００ｍｍである。被覆体２１の配置構造については第１実施例に相当する。
【００３８】
胴１６；１７の丸み部の直径は、前述の第１実施例では、たとえば２７０〜３２０ｍｍ、特に約２８５〜３００ｍｍである。前述の第２実施例では、胴１６；１７の丸み部の直径は、たとえば約３１０〜４１０ｍｍ、特に３２０〜約３８０ｍｍである。胴１６；１７の直径に対する、胴１６；１７の利用可能な丸み部の軸方向長さの比は、５．８〜８．８であり、たとえば６．３〜８．０であり、広幅な実施例では特に６．５〜８．０である。
【００３９】
利用可能な丸み部の長さＬ１６；Ｌ１７とは、被覆体１９；２１を収容するために適した丸み部の幅もしくは軸方向長さと理解することができる。この長さは、印刷しようとするウェブの実現可能な最大ウェブ幅にもほぼ相当する。胴１６；１７の丸み部の全長に関して、利用可能な丸み部の長さＬ１６；Ｌ１７に対して、場合によっては存在する胴枕および／または場合によっては存在する溝および／または場合によっては存在する外套面領域の幅が加算される。これらはたとえば緊締装置および／またはクランプ装置を操作するためにアプローチ可能にしておく必要がある。
有利な実施例では、共通圧胴１８もまた実質的に少なくともこれに対応配置された転写胴１７の記載の寸法および比を有している。
被覆体１９；２１は、図４に略示したように、たとえばフレキシブルなプレートとして形成されており、この場合ゴムブランケット２１として形成された被覆体２１は、支持プレート２３に沿って配置された弾性的かつ／または圧縮性の層２２（破線で示した）を備えたいわゆる金属製ブランケット２１として形成されている（図４には、金属製ブランケット２１に関する符号だけを破線でつなげて示した）。プレート状の版１９もしくはゴムブランケットのための支持プレート２３は、原則として可撓性の材料、そうでない場合は形状安定性の材料、たとえばアルミニウム合金から成っていて、かつ０．２ｍｍ〜０．４ｍｍ、有利には０．３ｍｍの材料厚さＭＳを有する、胴１６；１７の内側または表面に固定される、互いに反対側に位置する２つの端部２４；２６を備えており、この場合掛止脚部２４；２６として形成するためにこれらの端部２４；２６は、曲げ線に沿って、被覆体１９；２１の延伸長さｌに関して４０°〜１４０°、有利には４５°、９０°または１３５°の角度α；βで折り曲げられている（図４）。先行端部２４は、たとえば４０°〜５０°、特に４５°の鋭角αで折り曲げられており、後行端部２６は、８０°〜１００°、特に９０°の角度βで折り曲げられている。胴１６；１７、特に転写胴１７の周方向で単個の被覆体２１が取り付けられている場合、被覆体２１の長さｌは、胴１７の周長さにほぼ相当する。
【００４０】
原則として被覆体１９；２１の折り曲げられた端部２４；２６は、それぞれ各胴１６；１７の周に設けられた、長手方向で軸平行の、スリット状の開口に差込可能であり、この場合端部２４；２６は、たとえば形状付与、摩擦または変形によって保持される。端部２４；２６は、追加的にばね力、押圧手段、または運転中に作用する遠心力によって作動可能な手段によって固定することもできる。版胴１６に設けられた、軸方向で相並んで配置された版板１９のためのスリット状の開口は、有利な実施例では、それぞれ整合（一直線上に位置すること）して、たとえば連続して延びるスリット状の開口（以下に記載する）として配置されており、これに対して転写胴１７に設けられた、相並んで配置されたゴムブランケット２１のための開口は、連続して延びておらず、交互に周方向で１８０°ずつ変位されている。
【００４１】
図５のａおよび図５のｂには、版胴１６の有利な実施例を斜視図で示した。胴１６には２つの通路２７が設けられており、両通路２７は、胴１６の軸方向で、丸み部における少なくとも６つの区分Ａ〜Ｆの全長にわたって連続して延びている（図５ｂ）。両通路２７は、相対的に胴１６の周方向でたとえば１８０°ずらして配置されている。胴１６内で外套面３０の内側（下側）に配置された、たとえば円形の孔として形成された通路２７は、胴１６の外套面３０に向かう、少なくとも６つの区分Ａ〜Ｆの長さにわたって延びるスリット状で狭幅の開口２８を備えている（図５ａ）。版胴１６に設けられた開口２８の周方向のスリット幅ｓ１６は、５ｍｍを下回っていて、かつ有利には１〜３ｍｍの範囲である（図５ｃ）。
【００４２】
版１９の折り曲げられた端部２４；２６は、それぞれ周に設けられた長手方向で軸平行な開口２８に差込可能であり、これらの端部２４；２６、少なくとも後行端部２６は、通路２７に配置された保持装置２９，３１によって固定可能である。
【００４３】
保持装置２９；３１は、ここでは少なくとも１つのクランプ部材２９と少なくとも１つのばねエレメント３１とを備えている（図５ｃ）。図示していない、直角に折り曲げられた後行掛止脚部２６（図４参照）は、有利には、開口２８の、折り曲げ部に対して実質的に相補的に成形された壁に接触し、そこでばねエレメント３１からクランプ部材２９に及ぼされる力を用いてクランプ部材２９によって押し付けられる。図示していない、鋭角に折り曲げられた先行掛止脚部２４（図４参照）は、有利には、開口２８の、折り曲げ部に対して実質的に相補的に成形された壁に接触し、この壁は、外套面３０と、４０°〜５０°、特に４５°の鋭角α´を成して掛止エッジもしくは掛止突起を形成する。後行端部２６のクランプを解除するために、通路２７に調節手段３２が設けられており、この調節手段３２は、作動時に、ばねエレメント３１からクランプ部材２９に及ぼされる力に対抗し、クランプ部材２９を壁もしくは端部２６から離間旋回する。
【００４４】
有利な実施例では、各通路２７に、１つのクランプ部材２９が配置されているのではなく、区分Ａ〜Ｆの長さにわたって軸方向で相並んで複数のクランプ部材２９が、それぞれ少なくとも１つのばねエレメント３１を備えたセグメントの構成で配置されている（図５のａに胴１６から取り出した状態で示した）。この実施例では、各区分Ａ〜Ｆに、図５のｃに示したような複数、たとえば６つのクランプ部材２９が配置されており、この場合各区分Ａ〜Ｆのこれらのクランプエレメント２９の中央に、ここでは各区分Ａ〜Ｆの３つ目と４つ目のクランプエレメント２９の間に、レジスタブロック３５を備えたそれぞれ１つの見当エレメント３３（図５ｄ）が配置されている。レジスタブロック３５もしくは見当ピン３５は、たとえば台座３４の溝において軸方向で手動式に移動可能もしくは調節可能である。レジスタブロック３５は、図示していない実施例では、通路２７もしくは見当エレメント３３の、自由なまま存在する中空室において軸方向で案内される作動装置、たとえばモータ式に駆動可能なねじ山付スピンドルを介して軸方向可動であってよい。
【００４５】
調節手段３２は、図示の実施例では次のように形成されており、つまり作動時に保持装置２９，３１、つまり全てのクランプ部材２９が、区分Ａ〜Ｆの長さにわたって同時に開閉されるように形成されている。調節手段３２は、図５のａに胴１６から取り出した状態で示したように、少なくとも区分Ａ〜Ｆの長さにわたって延び、かつ通路２７において軸方向で延びる、圧力媒体で作動可能で可逆的に変形可能な中空体３２、たとえば管体３２として形成されている。この管体３２は、図５のｃに示したように、クランプ部材２９と協働して通路２７に配置されており、管体３２は作動時にセルフロック式に保持装置を閉鎖するばねエレメント３１に対抗する。見当エレメント３３の領域を通って管体３２は案内される（図５ｄ）。
【００４６】
図６のａおよび図６のｂには、転写胴１７の有利な１実施例を斜視図で示した。胴１７には２つの通路３６，３７が設けられており、この場合両通路３６；３７は、丸み部において少なくとも６つの区分Ａ〜Ｆもしくは３つの区分ＡＢ；ＣＤ；ＥＦの全長にわたって胴１７の軸方向で連続して延びている（図６のｂ）。これらの通路３６；３７は、相互的に胴１７の周方向でたとえば１８０°ずらして配置されている。
【００４７】
胴１７内で外套面４０の内側（下側）に配置された、たとえば円形の孔として形成された両通路３６；３７は、胴１７の外套面４０に向いた、少なくとも各区分ＡＢ；ＣＤ；ＥＦの長さにわたって軸方向で延びるスリット状で狭幅の全体でたとえば３つの開口３８；３９；４１を備えている（図６のａ）。３つの開口のうちの第１および第２の２つの開口３８；３９は、同じ通路３６と結合されていて、かつ軸方向で互いに整合して、しかも相互間隔を有して外套面４０に配置されている。軸方向で両開口３８；３９の間に、残りの外套面４０の形状に続く、開口の設けられていない、特に不都合な作用を及ぼさない区分Ｕが形成されている。たとえば同じ通路３６と結合されている、互いに整合する両開口３８；３９は、有利には端面近くに位置する開口３８；３９であって、この場合第３の開口４１は、少なくとも軸方向で中央の区分ＣＤにわたって延びていて、かつ残りの開口３８；３９に対して１８０°ずらして配置されている。転写胴１７に設けられた、カバーされていない開口３８；３９；４１の周方向のスリット幅ｓ１７は、５ｍｍよりも小さく、有利には１〜３ｍｍの範囲である（図６のｃ）。製作目的のために、スリット３８；３９；４１の端部の一方または両方に、半径方向で延びる孔４２を設けることができ、孔４２は、胴１７の運転状態で、図示していない栓によって閉鎖可能であるか、もしくは閉鎖されている（図６のｂ）。栓は外面を備えており、この外面は、孔４２の領域に組み込んだ状態で、胴１７のその他の円筒輪郭に続いている。回転軸線に対して垂直方向の断面図でみて胴１７の周方向で、有利な実施例では、開口３８；３９；４１の１つ、もしくは栓によって縮小された開口３８；３９；４１の１つが相前後して配置されている。したがってこの断面図でみると、開口３８；３９；４１もしくは栓によって縮小された開口３８；３９；４１はオーバーラップしない。
【００４８】
ゴムブランケット２１の折り曲げられた端部２４；２６は、それぞれ周に設けられた、長手方向で軸平行の開口３８；３９；４１の１つに差込可能であり、これらの端部２４；２６、少なくとも後行端部２６は、通路３６；３７に配置された少なくとも１つの保持装置４３，４４によって固定可能である。有利には同じゴムブランケット２１の両端部２４；２６は、同じ通路３６；３７の同じ開口３８；３９；４１に案内されている。
保持装置４３，４４は、ここではそれぞれ少なくとも１つのクランプ部材４３と少なくとも１つのばねエレメント４４とを備えている（図６のｃ）。図示していない、直角に折り曲げられた後行掛止脚部２６（図４参照）は、有利には、開口３８；３９；４１の、折り曲げ部に対して実質的に相補的に成形された壁に接触し、かつそこでばねエレメント４４からクランプ部材４３に及ぼされる力を用いてクランプ部材４３によって押し付けられる。図示していない、鋭角に折り曲げられた先行掛止脚部２４（図４参照）は、有利には、開口３８；３９；４１の、折り曲げ部に対して実質的に相補的に成形された壁に接触し、この壁は、外套面４０と、４０°〜５０°、特に４５°の鋭角α´を成して掛止エッジもしくは掛止突起を形成する。後行端部２６のクランプを解除するために、通路３６；３７に少なくとも１つの調節手段４６；４７；４８が設けられており、この調節手段４６；４７；４８は、作動時に、ばねエレメント４４からクランプ部材４３に及ぼされる力に対抗し、かつクランプ部材４３を壁から離間旋回する。有利には、それぞれ対応配置された通路３６；３７に設けられた３つの開口３８；３９；４１のそれぞれに、少なくとも１つの調節手段４６；４７；４８が設けられている（図６のａには胴１７から取り出した状態で示した）。
【００４９】
有利な実施例では、各通路３６；３７に、単に１つのクランプ部材４３が配置されているのではなく、区分ＡＢ；ＣＤ；ＥＦの長さにわたって軸方向で相並んで複数のクランプ部材４３が、それぞれ少なくとも１つのばねエレメント４４を備えた個々のセグメントとして配置されている（図６のａに胴１７から取り出した状態で示した）。この実施例では、各区分ＡＢ；ＣＤ；ＥＦおよび各開口３８；３９；４１に、図６のｃに示したような複数、たとえば１０個のクランプ部材４３が配置されている。外套面４０に向かう開口を有していない、各通路３６；３７の区分ＡＢ；ＣＤ；ＥＦには、単数または複数の保持装置４３，４４の代わりに、少なくとも１つの充填エレメント４９（図６のｄ）が通路３６；３７に配置されている。複数、たとえば１１個の充填エレメント４９が、個々のセグメントとして、通路３６；３７の、開口を有していない該当する区分ＡＢ；ＣＤ；ＥＦに配置されている。各区分ＡＢ；ＣＤ；ＥＦの保持装置４３，４４の中央に、つまり区分Ａと区分Ｂとの間もしくは区分Ｅと区分Ｆとの間の領域に、ここでは５つ目と６つ目のクランプエレメント４３の間に、それぞれ１つの充填エレメント４９（図６のｄ）を配置することができる。充填エレメント４９は、実質的に通路３６；３７の横断面に対応する横断面を有していて、かつ軸方向で連続して延びる少なくとも１つの開口５１を備えており、この開口５１を通って調節手段４６；４７；４８の作動手段が案内可能である。
【００５０】
調節手段４６；４７；４８は、図示の実施例では次のように形成されており、つまり作動時に区分ＡＢ；ＣＤ；ＥＦの保持装置４３，４４、つまり区分ＡＢ；ＣＤ；ＥＦの全てのクランプ部材４３が同時に開閉されるように形成されている。調節手段４６；４７；４８は、図６のａに胴１７から取り出した状態で示した。通路３６（２つの開口３８；３９を有する）には、それぞれ端面側で、調節手段４６；４７が、少なくとも区分ＡＢ；ＥＦの対応する長さにわたって延びている。中央の開口４１に対応配置された調節手段４８もまた少なくとも対応配置された区分ＣＤの対応する長さにわたって延びている。調節手段は、運転媒体の供給にとって有利である場合、少なくとも片側で胴１７の端面まで延びるようにすることもできる（図６のａ）。調節手段４６；４７；４８は、通路３６；３７において軸方向で延びる、圧力媒体で作動可能で可逆的に変形可能な中空体４６；４７；４８、たとえば管体４６；４７；４８として形成されている。この管体４６；４７；４８は、図６のｃに示したように、クランプ部材４３と協働して通路３６；３７に配置されており、管体４６；４７；４８は作動時にセルフロック式に保持装置４３，４４を閉鎖するばねエレメント４４に対抗する。通過する充填エレメント４９の領域を通って、管体は充填エレメントもしくはその開口５１を通って案内される（図６のｄ）。
【００５１】
通路３６；３７の別の実施例では、これらの通路３６；３７は、それぞれ全長にわたって連続して延びないように形成することもできる。たとえば各区分ＡＢ；ＣＤ；ＥＦの領域に、場合によっては適当な保持装置を備えたそれぞれ１つの通路３６；３７が設けられており、この場合中央の被覆体２１の通路３７は、外側の両方の通路に対して１８０°ずらされている。これについては図６のｅに概略的に示した。
【００５２】
特に６頁幅の印刷ユニット０２もしくは胴１６；１７に関して有利な実施例では、少なくとも印刷タワー０１の１つの、少なくとも２つの胴１６；１７、特に２つの版胴１６に、被覆体１９；２１を胴１６；１７に押し付けるための、特に版１９を版胴１６に押し付けるための装置５２（以下に押圧装置５２と記載する）が対応配置されている。このことは、たとえば対応する２つの印刷装置１３に、迅速な、たとえば瞬間的な版交換が行われるよう所望される場合に有利である。印刷タワー０１の全ての版胴１６にこのような押圧装置５２が対応配置されていると、特に迅速で確実かつ正確な製品交換にとって有利である。適当な押圧装置５２は、単数または複数の押圧エレメント５３；５４、たとえば条片、タペットまたはローラエレメント５３；５４を備えており、単数または複数の押圧エレメント５３；５４は、単数および／または複数の被覆体１９；２１に選択的に当接可能であるか、もしくは当接されている。これによって被覆体１９；２１の、制御案内式の締め付けもしくは張設および／または剥離もしくは取り出しが実現される。またこれによって、被覆体１９；２１の端部２４；２６を、対応する通路２７；３６；３７もしくは開口２８；３８；３９；４１に挿入するか、または弛んだ端部２４；２６もしくは部分的に弛んだ被覆体１９；２１を所望の姿勢で押さえつけることができる。押圧装置５２は、胴１６；１７に沿って、少なくとも区分Ａ〜Ｆの領域全体に、つまり丸み部の、印刷にとって有用な領域に延びている。
【００５３】
図７に示した押圧装置５２の実施例は、特に図５に関して説明した、全ての区分Ａ〜Ｆにわたって延びる共通の調節手段３２にとって有利である。この位置関係で、個別的または群形式の取り付けおよび／または交換および／または取り外しが、相並んで版胴１６に配置された６つの版１９でも実現可能で、それも版胴１６の内側に、作動装置または運転媒体供給部に比較的高いコストをかけることなく実現可能である。これによって製作、取り付けおよび保守が大幅に簡素化される。
【００５４】
押圧装置５２は、区分Ａ〜Ｆ（相並んで配置された６つの被覆体１９の場合）もしくは区分ＡＢ；ＣＤ；ＥＦ（相並んで配置された３つの被覆体２１の場合）ごとに、少なくとも１つの第１の押圧エレメント５３、たとえばローラエレメント５３を備えている。図７に示した有利な実施例では、各区分Ａ〜Ｆもしくは区分ＡＢ；ＣＤ；ＥＦに、胴１６；１７の周方向でローラエレメント５３から離間して位置する第２の押圧エレメント５４、たとえばローラエレメント５４が設けられている。図７には、胴１６を用いた場合の、単に中央の区分Ｂ，ＣおよびＤ、ならびにこれらの区分Ｂ，ＣおよびＤに対応配置されたローラエレメント５３；５４を示した。各区分Ａ〜Ｆもしくは区分ＡＢ〜ＥＦに、第１のローラエレメント５３、または軸方向で相並んで配置された第１のローラエレメント５３群、ならびにたとえば第２のローラエレメント５４、または軸方向で相並んで配置された第２のローラエレメント５４群が配置されている。たとえば各区分Ａ〜Ｆもしくは区分ＡＢ〜ＥＦに、１つの第１のローラエレメント５３と、３つの第２のローラエレメント５４から成る第２のローラエレメント群とが形成されている。起こり得る折り曲げおよび場合によって生じる軸方向方向調整エラーのリスクに関して有利には、互いに独立して運動可能なそれぞれ少なくとも２つのローラエレメント５３；５４から成るローラエレメント群が配置される。区分Ａ〜Ｆもしくは区分ＡＢ〜ＥＦのための単個のローラエレメント５３；５４は、たとえば長手方向で実質的に区分Ａ〜Ｆもしくは区分ＡＢ〜ＥＦの長さにわたって延びるローラ５３；５４として形成されており、これに対してローラエレメント群のうちの１つのローラエレメント５３；５４は、最大で区分Ａ〜Ｆもしくは区分ＡＢ〜ＥＦの長さの一部しか有していないローラ５３；５４として形成されている。
【００５５】
軸方向で相並んで配置されたローラエレメント５３；５４、ならびに場合によって設けられる、周方向で相前後して配置されたローラエレメント５３；５４は、原則として互いに独立して運動可能に、たとえば１つの桁５６（または複数の桁５６）に配置されている。単個の第１のローラエレメント５３または各区分Ａ〜Ｆもしくは区分ＡＢ〜ＥＦの第１のローラエレメント５３群、ならびに場合によって設けられる、単個の第２のローラエレメント５４または各区分Ａ〜Ｆもしくは区分ＡＢ〜ＥＦの第２のローラエレメント５４群は、互いに独立して独自の調節手段５７；５８によって作動可能である。これらの調節手段５７；５８は、たとえば圧力媒体で負荷可能で可逆的に変形可能な中空体５７；５８、特に管体５７；５８として形成されている。さらに別の構成を有する電気式または磁石式に作動可能な調節手段を設けることもできる。
【００５６】
被覆体１６；１７を区分Ａ〜Ｆもしくは区分ＡＢ〜ＥＦの１つに張設するために、被覆体１６；１７の、たとえば鋭角に折り曲げられた先行端部２４は、該当する開口２８；３８；３９；４１に挿入される。区分Ａ〜Ｆもしくは区分ＡＢ〜ＥＦに対応配置された単数または複数の第１のローラエレメント５３、ならびに場合によっては設けられる、区分Ａ〜Ｆもしくは区分ＡＢ〜ＥＦに対応配置された単数または複数の第２のローラエレメント５４は、張設しようとする、既に掛止された被覆体１９；２１もしくは胴１６；１７に当接される。既に単数または複数の別の被覆体１９；２１が胴１６；１７に配置されていて、かつそこで保持しようとする場合、区分Ａ〜Ｆもしくは区分ＡＢ〜ＥＦに該当する第１および／または第２のローラエレメント５３；５４も各被覆体１９；２１に当接される。第１および第２のローラエレメント５３；５４が設けられている場合、胴１６；１７がローラエレメント５３；５４と共に転動する際に、第２のローラエレメント５４は被覆体１９；２１の折り曲げられた後行端部２６を、これを越えて転動する際に開口２８；３８；３９；４１に押し込む。単数または複数の第１のローラエレメント５３しか設けられていない場合、第１のローラエレメント５３によって押し込みが行われる。この場合有利には、胴１６；１７が生産方向Ｐで回転する間、ローラエレメント５３；５４は不動である。区分Ａ〜Ｆもしくは区分ＡＢ〜ＥＦのための、予め解放位置（開放）に存在する単数または複数の保持手段、たとえば単数または複数のクランプ部材２９；４３は、保持位置またはクランプ位置（閉鎖）に切り替わる。保持手段が解放位置から保持位置に切り替わると、該当する区分Ａ〜Ｆもしくは区分ＡＢ〜ＥＦの全てのローラエレメント５３；５４は、胴１６；１７もしくは被覆体１９；２１から当接解除される。
【００５７】
被覆体１９；２１の緊張解除に際して、単数または複数の別の被覆体１９；２１が胴１６；１７に保持したままにするのかどうか決定される。この場合先ずそのままにしておく被覆体１９；２１に対応配置されたローラエレメント５３；５４の少なくとも１つは、後行端部２６の領域もしくは開口２８；３８；３９；４１の傍で当接することができるか、もしくは当接されている。緊締解除しようとする被覆体１９；２１に対応配置されたローラエレメント５３；５４は、当接解除することができるか、もしくは当接解除されている。区分Ａ〜Ｆもしくは区分ＡＢ〜ＥＦの保持エレメントは開放される。緊締解除しようとする被覆体１９；２１の後行端部２６は、内部応力によって通路２７；３６；３７から離間され、これに対してそのまま保持される被覆体１９；２１はローラエレメント５３；５４によって押さえ付けられている。保持手段は再び閉鎖される。押圧装置５２がそれぞれ第１および第２のローラエレメント５３；５４を備えていると、そのまま保持される被覆体１９；２１は、有利には少なくとも第２のローラエレメント５４によって押さえ付けられる。離間しようとする被覆体１９；２１では、先ず少なくとも第２のローラエレメント５４が当接解除され、これによって端部２６は通路２７；３６；３７から離間することができ、次いで第１のローラエレメント５３が当接され、これによって既に部分的に剥離された被覆体１９；２１はまだ胴１６；１７に案内して保持することができる。次いで胴１６；１７は、有利には生産方向Ｐとは反対向きに、先行端部２４が通路２７；３６；３７から離間されて、被覆体１９；２１を取り出すことができるようになるまで回転することができる。被覆体１９；２１を緊張解除する際に、そのままにする被覆体１９；２１を考慮する必要はなく、緊締解除されない被覆体１９；２１に対応する区分Ａ〜Ｆもしくは区分ＡＢ〜ＥＦのローラエレメント５３；５４は、処理作業の間、原則として任意の運転位置、有利には当接解除位置を占めることができる。
【００５８】
したがって胴１６；１７の外套面３０；４０に載設している被覆体１９；２１は、単数または複数の被覆体１９；２１の端部２４；２６が解放されている間、つまりこの時点では押圧されていない間に、必要に応じてそれぞれ少なくとも１つの押圧エレメント５３；５４によって固定することができる。
【００５９】
有利な実施例では、印刷ユニット０２の胴１６；１７；１８は次のように駆動され、つまり印刷ユニット０２の印刷装置１３が、少なくともそれぞれ残りの印刷ユニット１３から機構的に独立した駆動モータ６１によって回転駆動可能であるように駆動される。サテライト型印刷ユニット０２の場合、単数または複数の共通圧胴１８もまた、駆動モータ６１によって、対応配置された印刷装置１３とは機構的に独立して回転駆動可能である。駆動モータ６１は、有利には角度位置調整式の電気モータ６１、たとえば非同期モータ、同期モータまたは直流モータとして形成されている。有利な実施例では、駆動モータ６１と、駆動しようとする胴１６；１７；１８もしくは胴対１６，１７；１８，１８との間に少なくとも１つの伝動装置６２、特に少なくとも１つの減速装置６２（たとえば小歯車伝動装置および／または補助伝動装置および／または遊星歯車伝動装置）が配置されている。個々の伝動装置は、高い融通性、ならびに機械駆動系における振動防止に役立ち、またこれによって製品の高品質化にも役立つ。以下に説明する図８〜図１０には、図面の右半分の構成部材にしか符号を設けていない。というのも図面の左半部が右半部に鏡像的なものであるという理由による。上位の印刷装置および下位の印刷装置のそれぞれに、場合によっては存在するインキ装置１４もしくは湿し装置２０のための選択的な構造を図示した。この選択的な構造はどの印刷装置に用いてもよい。
【００６０】
図８の実施例では、９本の胴１６；１７；１８の全てが、それぞれ独自の駆動モータ６１を備えており、駆動モータ６１はそれぞれたとえば伝動装置６２を介して胴１６；１７；１８に作用する。上位に示したインキ装置１４は、図示していないローラとは別に２つの摩擦胴６３を備えており、これらの摩擦胴６３は、独自の駆動モータ６４によってまとめて回転駆動可能である。両摩擦胴６３は、軸方向ストロークを形成するために、図示していない駆動手段によって軸方向で運動可能かつ駆動可能である。下位に示したインキ装置１４は、１つの摩擦胴６３しか備えていない。上位に示した湿し装置２０は、図示していないローラとは別に２つの摩擦胴６６を備えており、これらの摩擦胴６６は、独自の駆動モータ６７によってまとめて回転駆動可能である。両摩擦胴６６は、軸方向ストロークを形成するために、図示していない駆動手段によって軸方向で運動可能かつ駆動可能である。下位に示した湿し装置２０は、１つの摩擦胴６６しか備えていない。上位の印刷装置１３において破線で示唆した別の実施例では、インキ装置１４および／または湿し装置２０は、独自の駆動モータ６４；６７によってではなく、胴１６；１７；１８、特に版胴１６から機械的な連結手段、たとえば歯車および／またはベルトを介して回転駆動される。
【００６１】
図８の実施例に対して、図９の実施例では、各印刷装置１３の両胴１６；１７は、それぞれ転写胴１７に設けられた共通の駆動モータ６１によって駆動される。駆動は、軸方向でたとえば伝動装置６２を介して行うことができ、また転写胴１７の駆動車を駆動する小歯車を介して行うこともできる。転写胴１７の駆動車によって、版胴１６の駆動車を駆動することができる。駆動結合部６８（結合線として実線で示した）は、歯車結合部として、またベルトを用いて形成することができる。駆動結合部は別の実施例では封入されている。独自の駆動モータ６４；６７または胴１６；１７；１８を介してインキ装置１４および場合によっては湿し装置２０を駆動するために、原則として図８に示した実施例を用いることができる。
【００６２】
図９の実施例に対して、図１０の実施例では、各印刷装置１３の両胴１６；１７は、それぞれ転写胴１６に設けられた駆動する共通の駆動モータ６１によって駆動される。駆動は、軸方向でたとえば伝動装置６２を介して行うことができ、また版胴１６の駆動車を駆動する小歯車を介して行うこともできる。版胴１６の駆動車によって、転写胴１７の駆動車を駆動することができる。駆動結合部６８は、図９に示したように構成することができる。独自の駆動モータ６４；６７または胴１６；１７；１８を介してインキ装置１４および場合によっては湿し装置２０を駆動するために、ここでも原則として図８に示した実施例を用いることができる。
【００６３】
インキ装置１４および／または湿し装置２０の独自の回転駆動装置が設けられていない、図８および図９において破線で示唆した実施例に対して、別の有利な実施例では、有利には転写胴１７によってインキ装置１４および／または湿し装置２０が駆動される。したがって明確なモーメント流れを達成することができ、また場合によっては生じる歯面交換を回避することができる。このような駆動系の実施例は、図１１に概略的に示した。
【００６４】
駆動モータ６１は、小歯車７１を介して、版胴１６と相対回動不能に（つまり一緒に回動するように）結合された駆動車７２を駆動し、この駆動車７２は同様に転写胴１７と相対回動不能に結合された駆動車７３を駆動する。駆動車７３は広幅に構成されているか、または別の第２の駆動車７４を介して転写胴１７と結合されている。広幅な、または追加的な駆動車７３；７４は、版胴１６のジャーナル７６に回動可能に配置された駆動車７７を介してインキ装置１４および／または湿し装置２０の駆動車７８を駆動する。駆動車７２；７３；７４；７７；７８は、有利には歯車として形成されている。版胴１６が、軸方向位置を調節するためにたとえば±ΔＬだけ軸方向で位置変化可能に構成されている場合、少なくとも小歯車７１ならびに駆動車７２〜７４は、真っ直ぐに歯切り（歯型成形）して構成されている。小歯車７１および駆動車７２から成る伝動装置６２と、駆動モータ６１との間に、追加的に破線で示した、封入された補助伝動装置６２´を配置することができる。版胴１６の駆動は、選択的に軸方向でジャーナル７６で行うこともでき、ここでは場合によっては版胴１６の軸方向運動は、図示していない、版胴１６と駆動モータ６１との間の軸方向の相対運動を形成する連結手段を介して行われる。共通圧胴１８は、図１１の実施例では、小歯車７１を介して、この小歯車に対応配置された駆動車７９、特に歯車７９で駆動される。独立した駆動モータ６１によって駆動される各駆動系は、有利な実施例では、少なくとも駆動系ごとに、場合によってはより小さなユニットごとに封入されている（図１１において破線で示した）。
【００６５】
記載の構成の印刷ユニット０２、印刷装置１３、胴１６；１７；１８もしくは駆動装置によって、達成可能な製品厚さに関して僅かな技術的および空間的コストを有する高品質で振動の少ない精確な（見当に応じた）印刷が実現される。
【００６６】
たとえば６印刷面幅のウェブ０３を印刷したあとで、ウェブ０３は、場合によっては図示していないガイドエレメントおよび／または引張りローラを介して、上部構造０４の領域に走入して、たとえば縦断裁装置０６を通って案内される（図１２）。縦断裁装置０６は、たとえばローラ８１、たとえば独自の駆動モータ８０によって駆動される引張りローラ８１を備えており、このローラ８１と押圧ローラとが協働でき、これによってスリップが防止される。縦断裁装置０６および引張りローラ８１は、互いに個別的に構成することもでき、この場合有利には対抗受けとして別のローラが縦断裁装置０６と協働する。この縦断裁装置０６において、ウェブ０３は、たとえば複数、たとえば３つの部分ウェブ幅を有するウェブ０３ａ；０３ｂ；０３ｃ、略して部分ウェブ０３ａ；０３ｂ；０３ｃ（中央線で記号化して示した線０３ａ，０３ｂ，０３ｃ）に縦裁ちされ、これは部分ウェブ０３ａ；０３ｂ；０３ｃが後続のガイドエレメント、たとえばレジスタ装置０８のローラ、ターニング装置０７のターニングバー、フォーマ走入のための搬送ローラまたは引張りローラに供給されるまえに行われる。ウェブ張力に関して振動の僅かなウェブ搬送を実現するために、ウェブ０３ａ；０３ｂ；０３ｃとの摩擦によって駆動されるか、もしくは駆動されない個々の、複数のまたは全てのガイドエレメント（部分ウェブ０３ａ；０３ｂ；０３ｃを案内するために設けられている）は、長さを低減して構成することができる。そうして長さ以外に、ガイドエレメントの、たとえば６印刷面幅の機械サイズにとって必要な厚み（太さ）、ひいては慣性が大幅に低減される。特に速度変化の際に生じる、ウェブ張力における振動リスク（このことはまた見当合わせ精度ひいては印刷品質を低下させる）が効果的に低減される。長さの減少されたガイドエレメント、側方の位置変化性ならびに別のガイドエレメントに対するレジスタローラの配置形式に関して、以下の実施例は、様々な印刷機、特に有利には、ｍ幅、たとえば６つの版の幅を有する機械に利用できる。
【００６７】
図１２には、１実施例の上部構造０４の少なくとも一部を斜視図で示した。典型的な例として、図１２には、部分ウェブ０３ｂを、中央から外向きにターニングされる部分ウェブ０３ｂとして示した。第２の部分ウェブ０３ａ；０３ｃは、たとえば第２のターニング装置０７によって別の列にターニングされる。第２のターニング装置は、たとえば第１のターニング装置０７の上方または下方に設けることができる。
【００６８】
ターニング装置０７は、ガイドエレメント８２として、一般的な形式で平行または交差する２つのターニングバー８２を備えており、ターニングバー８２は、走入する部分ウェブ０３ａ；０３ｂ；０３ｃの搬送方向と約４５°もしくは１３５°の角度を成し、ターニングバー８２によって走入するウェブ０３ａ；０３ｂ；０３ｃは側方に変位可能かつ／または上下に変位可能である。ターニングバー８２は、有利な形式では長さＬ８２を有しており、この長さＬ８２の、走入する部分ウェブ０３ａ；０３ｂ；０３ｃの横延伸長さに対する投影は、走入する部分ウェブ０３ａ；０３ｂ；０３ｃの幅よりも幾分か大きく、たとえば０％〜２０％大きくなっており、つまり長さＬ８２は、部分ウェブ幅の約１．４〜１．７倍である。少なくとも長さＬ８２は次のように選択されており、つまりこの長さＬ８２の投影が、２面幅の部分ウェブ０３ａ；０３ｂ；０３ｃの２倍の幅と同じかまたはこれよりも小さく選択されており、つまり長さＬ８２は部分ウェブ幅の最大２．８倍である。有利な実施例では、ターニングバー８２は、それぞれ個別的に支持体８３に支承されており、支持体８３は走入する部分ウェブ０３ａ；０３ｂ；０３ｃの方向に対して横向きに、少なくとも１つのガイド８４に沿って位置変化可能である。「短い」ターニングバー８２は、必要に応じて所望のウェブガイドから必要位置に移動することができる。特に両ターニングバー８２は、このような支持体８３に支承することができる。
【００６９】
変位かつ／または反転かつ／または移しかつ／または下方移動される部分ウェブ０３ａ；０３ｂ；０３ｃは、別の部分ウェブ０３ａ；０３ｃに対して、原則として走行方向で変位するので、レジスタ装置０８によって縦見当で修正される。レジスタ装置０８は、ガイドエレメント８６として走行方向に対して平行に運動可能な少なくとも１つのローラ８６を備えている。レジスタ装置０８の単数もしくは複数のローラ８６は、有利には長さＬ８６を有しており、この長さＬ８６は、走入する部分ウェブ０３ａ；０３ｂ；０３ｃの幅よりも幾分か大きく、たとえば０％〜２０％大きくなっている。少なくとも長さＬ８６は、２面幅の部分ウェブ０３ａ；０３ｂ；０３ｃの２倍の幅よりも小さいか、またはこれと同じである。有利な実施例では、レジスタ装置０８は、走入する部分ウェブ０３ａ；０３ｂ；０３ｃの方向に対して横向きに、少なくとも１つのガイド８７に沿って位置変化可能に支承されている。狭幅のレジスタ装置０８もしくは短いローラ８６は、必要に応じて所望のウェブ案内位置から必要位置に移動することができる。
【００７０】
断裁、場合によっては反転、また場合によってはレジスタ以外に、部分ウェブ０３ａ；０３ｂ；０３ｃは、上部構造４において、最終的に折り構造１１に前置された、いわゆるハープ０９（図１）の搬送ローラまたはハープローラ８８に供給されるまえに、場合によっては別の、非駆動式のガイドエレメント、たとえば図示していないガイドローラを介して案内される。真っ直ぐに延びるウェブ０３もしくは部分ウェブ０３ａ；０３ｂ；０３ｃのために、上部構造０４において、ハープローラ８９の上流側に、たとえば完全なウェブ幅ｂ０３にわたって延びる、搬送方向で位置変化可能なレジスタローラ９１ならびに変向ローラ９２が配置されている。
【００７１】
有利な実施例では、ガイドローラおよび／またはハープローラ８８；９３の長さＬ８８は、走入する部分ウェブ０３ａ；０３ｂ；０３ｃの幅よりも幾分か大きく、たとえば０％〜２０％大きくなっている。少なくとも長さＬ８８；Ｌ９３（図１３）は、２頁幅の部分ウェブ０３ａ；０３ｂ；０３ｃの２倍の幅よりも小さいか、またはこれと同じである。図１２の実施例では、「短い」ハープローラ８８は、この実施例では分割されているが、全体として６印刷面の幅を有するウェブ０３にわたって延びるハープローラ８９の１区分８８として形成されている。区分８８は、ここでは互いに独立して回動可能に支承されている。
【００７２】
ガイドエレメント８８；９３としての「短い」ハープローラ８８；９３は、区分８８に対して選択的または追加的に、図１３に示したように、個別的にフレームに配置されたハープローラ９３として形成することができる。このハープローラ９３は、フレーム固定して配置するか、または走入する部分ウェブ０３ａ；０３ｂ；０３ｃの方向に対して横向きに、ガイド９６に沿って位置変化可能に支持体９４に配置することができる。
反転、変位、下方移動などに際して生じるずれが部分ウェブ０３ａ；０３ｂ；０３ｃに関するものであり、かつ部分ウェブの特別なガイドに関連しているので、有利な実施例では、必要なレジスタ装置０８は、部分ウェブ０３ａ；０３ｂ；０３ｃの走行を特定する少なくとも１つのガイドエレメント、たとえばターニング装置０７もしくはターニングバー８２またはハープ０９もしくは「短い」ハープローラ９３に対応配置することができる。
【００７３】
図１３の実施例では、「短い」レジスタ装置０８は、たとえば「短い」ハープローラ９３に対応配置されていて、かつハープローラ９３と共に、走入する部分ウェブ０３ａ；０３ｂ；０３ｃの方向に対して横向きにガイド９６に沿って位置変化可能である。
【００７４】
図１４の実施例では、「短い」レジスタ装置０８はたとえば「短い」ターニングバー８２に対応配置されていて、かつこのターニングバー８２と共に、走入する部分ウェブ０３ａ；０３ｂ；０３ｃの方向に対して横向きにガイド８４に沿って位置変化可能である。ここで示した配置構成は、交差したターニングバー８２のためのものであるが、図１１に示したような平行なターニングバー８２に用いることもできる。交差するかもしくは直交して延びるターニングバー８２のために、ローラ８１の回転軸線に対して垂直に延びる回転軸線を有する少なくとも１つ（ここでは２つ）の変向ローラ９７が設けられている。
【００７５】
有利な実施例では、３倍幅を有する印刷機の上部構造０４に、完全なウェブ０３ごとに、レジスタ装置０８およびターニング装置０７、またはレジスタローラおよびハープローラ９３と共に位置変化可能な「短い」２つの装置が上下に配置されている。
【００７６】
記載の実施例のガイド８４；９６（図１３および図１４）は、様々な形式で実現することができる。たとえばガイド８４；９６は、少なくとも部分的なねじ山を有するスピンドルとして形成することができ、このスピンドルは、両側で回動可能に支承されていて、かつたとえば図示していない駆動装置によって回転駆動可能である。支持体８３；９４は、ある種のスライダブロックとして、不動のガイド８４；９６においてたとえばプロフィールで案内することができる。この場合支持体８３の駆動は、駆動可能なスピンドルを介して、または別の形式で行うことができる。
【００７７】
横向きに位置変化可能なターニング装置８２によって、１つまたは２つの部分ウェブ幅（または半分の部分ウェブ幅の幾倍）を超える、部分ウェブ０３ａ；０３ｂ；０３ｃの様々な移動もしくは変位が実現可能である。この場合印刷された部分ウェブ０３ａ；０３ｂ；０３ｃは、折り構造１１の、走行方向に対して横向きに相並んで配置された複数、ここでは３つの折りフォーマ１０１；１０２；１０３（図１５）の１つに整合される。移動は、たとえば個々のストランドもしくはあとで形成される中間製品または完成品の様々な厚さに対する要求に適合させるために行われ、この場合同時にできるだけ完全なウェブ幅で効果的な印刷を行うのが所望される。
【００７８】
ｍ個の印刷面の各最大幅ｂ０３の、印刷しようとする完全なｎ個のウェブ０３；０３´（たとえばｎ個の印刷タワー０１）のために、上部構造０４は、有利な実施例では少なくとも（ｎ＊（ｍ／２−１））のターニング装置０７を備えている。６頁幅の印刷機でセクションごとにたとえば３つのウェブ０３；０３´（もしくは３つの印刷タワー０１）を用いる場合、有利には、セクションごとに６つのターニング装置０７が設けられている。
【００７９】
それぞれ３つの印刷タワー０１のたとえば２つのセクションを備えた印刷機と、両面４色印刷のために設けられた４印刷面幅を有する全体で６つのウェブ０３；０３´；０３´´とを有する実施例では、セクションごとに少なくとも３つのターニング装置０７が配置されている。
【００８０】
それぞれたとえば２つの印刷タワー０１の２つのセクションを備えた印刷機と、両面４色印刷のために設けられた６印刷面幅を有する全体で４つのウェブ０３；０３´；０３´´とを有する実施例では、セクションごとにたとえば４つのターニング装置０７が配置されている。２つのセクションもしくは全体で４つの印刷タワー０１（４つのウェブ０３；０３´）を備えた印刷機では、ザンメル印刷運転形式で、たとえば９６頁の全体厚さを有する製品が製作可能である。部分ウェブ０３ａ；０３ｂ；０３ｃを、部分ウェブ幅ｂ０３ａの偶数倍変位する以外に、有利な運転形式では、部分ウェブ０３ａ；０３ｂ；０３ｃが、半分の部分ウェブ幅ｂ０３ａおよび／またはフォーマ幅の奇数倍（つまりファクタ０．５；１．５；２．５）だけ変位されている（図１５）。このことは印刷機の全幅もしくはウェブ０３全体の幅ｂ０３にわたって延びる長いターニングバー（図示していない）によって行うことができ、また有利には、記載の位置変化可能な「短い」ターニングバー８２によって行うこともできる。ターニングバー８２は、たとえば図１５に示したように配置されており、最初に部分ウェブ０３ａ；０３ｂ；０３ｃの巻きかけられるターニングバー８２は、後続の折りフォーマ１０２；１０２；１０３の１つの少なくとも全幅にわたって整合されており、これに対して２番目のターニングバー８２は、相並んで配置された後続の２つの折りフォーマ１０１；１０２；１０３の少なくとも２つの隣接する半部に対して整合されている。
【００８１】
フォーマ幅ｂ１０１の半分もしくは部分ウェブ幅ｂ０３ａの半分の奇数倍だけ変位された部分ウェブ０３ａ；０３ｂ；０３ｃは、折りフォーマ１０１；１０２；１０３の「中間」を走行する。これについては図１５および図１６において、一例として２頁幅の部分ウェブ０３ａ；０３ｂ；０３ｃに関して６印刷面幅のフォーマ配置構造を示した。これは別の幅を有する機械に転用することもできる。したがって単に１印刷面幅の部分ウェブ０３ａ；０３ｂ；０３ｃ、もしくはフォーマ幅ｂ１０１の半分の部分ウェブ０３ａ；０３ｂ；０３ｃなどを印刷して、機械を通って案内する必要はない。それにもかかわらず生産における多様性が得られる。
【００８２】
部分ウェブ幅ｂ０３ａの半分の奇数倍だけ変位された部分ウェブ０３ａ；０３ｂ；０３ｃは、折りフォーマ１０１；１０２；１０３の手前で、整合する両折りフォーマ１０１；１０２；１０３の間に位置する列で縦裁ちされ、折り構造１１もしくはハープ０９、つまり非分割型／または分割型のハープローラ８９および／または「短い」ハープローラ９３に向かって走行する（図１６）。
【００８３】
図１６には、図１５に示した典型的な実施例として種々異なる形式で形成されたハープローラ８９；９３を示した。ここではたとえば部分ウェブ０３ｃは、元来の位置（白抜きで示した）から１．５倍の部分ウェブ幅ｂ０３ａだけ変位される。部分ウェブ０３ｃは、たとえば別の縦断裁装置１０４によって折りフォーマ１０１；１０２；１０３の手前で断裁されている場合（それぞれ１印刷面幅、もしくは１新聞頁幅）、この部分ウェブ０３ｃの半部で部分ウェブ０３ａ，０３ｂと共にそれぞれ１つの折りフォーマ１０１；１０２に案内される。両方の（中間）製品は、たとえば以前は２印刷面幅の部分ウェブ０３ａ；０３ｂ；０３ｃであったが、断裁後では１印刷面幅の少なくとも１つの部分ウェブ０３ｃ１；０３ｃ２を備えるようになる。追加的にたとえば別の印刷ユニット０２もしくは別の印刷タワー０１で印刷された別のウェブ０３´から成る部分ウェブ０３ａ´；０３ｂ´；０３ｃ´が、単数または複数のハープローラ８９；９３に走行することができる。同じ列で上下に位置して走行する部分ウェブ０３ａ，０３ａ´，０３ｃ１；０３ｂ，０３ｂ´，０３ｃ２；０３ｃ´は、たとえばそれぞれ１つのストランド１０９；１１１；１１２にまとめられて、折りフォーマ１０１；１０２；１０３に供給することができる。したがってたとえばそれぞれ両側において２倍サイズで３倍幅の２つの印刷ユニットで（たとば４色）印刷されるウェブ０３；０３´から、版胴１６の版配置形式、および折り装置１２の、これに対応する運転形式に応じて様々なページ数を有する製品もしくは中間製品（小冊子または本など）を製作することができる。版胴１６が周方向で種々異なる印刷面Ａ１，Ａ２〜Ｆ１，Ｆ２（もしくは第２のウェブ０３´にはＡ１´，Ａ２´〜Ｆ１´，Ｆ２´）の２つの版１９で被覆されており、折り装置１２で横裁ちおよび集合が行われるような、単倍生産（Einfachproduktion）では、ストランド１０９，１１１を介してそれぞれ１０印刷面を有する別個の２つの小冊子が製作可能で、かつストランド１１２を介してそれぞれ４印刷面を有する別個の２つの小冊子が製作可能である。製品全体はたとえば４８頁を有している。この印刷機が２倍生産（Doppelproduktion）で運転される場合、つまり版胴１６が周方向で同じ印刷面Ａ１，Ａ１〜Ｆ１，Ｆ１（もしくはＡ１´，Ａ１´〜Ｆ１´，Ｆ１´）の２つの版１９で被覆されていて、折り装置１２で集合が行われない場合、ストランド１０９，１１１，１１２に関して、前述の頁数の、連続する同じそれぞれ２つの小冊子が製作可能である。２倍の生産量で、たとえば２４頁の全体製品が生産される。
【００８４】
ハープローラ８９；９３は、特にこれらが全長にわたって非分割式に構成されている場合、１実施例では、図示していない独自の駆動モータを介して回転駆動可能である。これらのハープローラ８９；９３は、たとえば回転数に関して、場合によっては姿勢に関して調整可能に形成されていて、かつ現行の目標値を占めるために、機械制御装置もしくは電子的な案内軸（elektronische Leitachse）と接続されている。
【００８５】
図１７に示したように、折り構造１１は、上下に並べて配置された少なくとも２つの折りフォーマ１０１，１０６；１０２，１０７；１０３，１０８を備えており、折りフォーマの対称平面Ｓは、印刷機を真っ直ぐに通走する部分ウェブ０３ａ；０３ｂ；０３ｃの共通の列上に位置する。特に上下に配置された両折りフォーマ１０１，１０６；１０２，１０７；１０３，１０８の対称平面Ｓは、２印刷面幅の、真っ直ぐに延びる、垂直方向にしか変向されない部分ウェブ０３ａ；０３ｂ；０３ｃ（３ａ´，３ｂ´，３ｃ´もしくは３ａ´´，３ｂ´´，３ｃ´´もしくは３ａ´´´，３ｂ´´´，３ｃ´´´など）の中央平面Ｍと実質的に合致する。部分ウェブ０３ａ；０３ｂ；０３ｃなどは、図１７では、後述（図１８に関して）する理由から、一部を実線で、また別の一部を破線で示した。
【００８６】
６印刷面幅の印刷機のためには、図１７に示したように、それぞれ１群が３つの折りフォーマ１０１，１０２，１０３もしくは１０６，１０７，１０８から成る、鉛直方向で互いにずらされた２群の折りフォーマが配置されている。４印刷面幅の印刷機のためには、それぞれ２つのフォーマを、また８印刷面幅の印刷機のためには、それぞれ４つのフォーマを相並んで配置すればよい。それぞれ上位の折りフォーマおよび下位の折りフォーマ１０１，１０６；１０２，１０７；１０３，１０８は、前述の形式で対になって互いに整合していて、かつそれぞれ中央面Ｍと整合している。一群の折りフォーマの３つの折りフォーマ１０１，１０２，１０３もしくは１０６，１０７，１０８は、部分ウェブ０３ａ；０３ｂ；０３ｃの走行方向に対して横向きにずらして相並んで配置されていて、かつ有利な実施例では実質的に同じ高さに配置されている。これらの折りフォーマは、場合によっては鉛直方向でも互いにずらして配置することができ、かつ／またはそれぞれ異なる鉛直方向寸法を有することができ、この場合折りフォーマはたとえば一水平面上で少なくとも部分的にオーバーラップしている。
【００８７】
ウェブ走行方向でみて、折り構造１１は、上下に配置された折りフォーマ１０１，１０２，１０３もしくは１０６，１０７，１０８の折りフォーマ群の少なくとも手前で、ウェブ０３；０３´もしくは部分ウェブ０３ａ；０３ｂ；０３ｃのフォーマ走入を規定するハープ０９、つまり平行で互いに半径方向でずらされた複数の搬送ローラもしくはハープローラ８９；９３のローラ群を備えており、ハープ０９を介して様々なウェブ０３；０３´もしくは部分ウェブ０３ａ；０３ｂ；０３ｃ；もしくは０３ａ´；０３ｂ´；０３ｃ´などが、上部構造０４から折り構造１１に搬送される。ハープローラ８９；９３に続いて、ウェブもしくは部分ウェブは、単数のストランド１０９；１１１；１１２または複数のストランド１０９；１１１；１１２にまとめられる。ストランド１０９；１１１；１１２において部分ウェブ０３ａ；０３ｂ；０３ｃもしくは０３ａ´；０３ｂ´；０３ｃ´があとで占める位置、もしくは中間製品および／または完成品における印刷面の位置は、特にハープ０９を通走する別の部分ウェブ０３ａ；０３ｂ；０３ｃもしくは０３ａ´；０３ｂ´；０３ｃ´に対する相対位置を選択することによって既にハープ０９で規定される。ハープ０９のハープローラ８９；９３は、互いに鉛直かつ／または水平方向でずらされていて、かつ有利には構成ユニットとして共通のフレームに支承されている。原則として互いに鉛直にずらされた折りフォーマ１０１，１０２，１０３もしくは１０６，１０７，１０８の各折りフォーマ群のためにこのようなハープ０９を設けることができる。
【００８８】
構造高さを節減するために、有利な実施例では、図１および図１９に示したように、上下に配置された、しかしながら対称平面で互いに整合している両折りフォーマ１０１，１０６；１０２，１０７；１０３，１０８が共通のハープ０９を備えている。ｍ個の印刷面の最大幅ｂ０３を有する、印刷しようとする完全なｎ個のウェブ０３；０３´（たとえば１セクションのｎ個の印刷タワー）のために、ハープ０９は、有利な実施例では少なくとも（ｎ＊ｍ／２）個のハープローラ８８；８９；９３を備えており、ハープローラの回転軸は、たとえば実質的に共通の一平面上に位置しており、ハープローラは、有利には共通のフレームに支承されている。図示したような６頁幅の印刷機、およびたとえば２つのウェブ０３；０３´（もしくは２つの印刷タワー０１）では、有利には、ハープ０９ごとに少なくとも６つのハープローラ８８；８９；９３が設けられている。
【００８９】
３つの印刷タワーを有する印刷機のセクションと、両面４色印刷のために設けられた３つのウェブ０３；０３´；０３´´とを有する実施例では、ハープ０９ごとに少なくとも９個のハープローラ８８；８９；９３が配置されている。このセクションには、ザンメル印刷運転形式でたとえば７２頁の全体厚さを有する製品が製作可能である。
【００９０】
それぞれ２つの印刷タワー０１を備えたたとえば２つのセクションを有する印刷機と、両面４色印刷のために設けられた６印刷面幅の全体で４つのウェブ０３；０３´；０３´´と有する有利な実施例では、１セクションのハープ０９ごとに少なくとも６つのハープローラ８８；８９；９３が配置されている。セクションごとの６つのハープローラ８８；８９；９３、つまりここでは１２個のハープローラは、共通の折り構造１１または２つの折り構造１１に関して、構造的に別個の２つのハープ０９に配置することができ、また構造的に共通の１つのハープ０９にたとえば２列に配置することができる。２つのセクションもしくは全体で４つの印刷タワー０１（４つのウェブ０３；０３´）を備えた印刷機では、ザンメル印刷運転形式で、たとえば９６頁の全体厚さを有する製品が製作可能である。
【００９１】
それぞれ２つの印刷タワー０１を備えたたとえば２つのセクションを有する印刷機と、両面４色印刷のために設けられた６印刷面幅の全体で４つのウェブ０３；０３´；０３´´とを有する実施例では、１セクションのハープ０９ごとに少なくとも６つのハープローラ８８；８９；９３が配置されている。各セクションのこれらの６つのハープローラ８８；８９；９３、つまりここでは１２個のハープローラは、たとえば共通の折り構造１１または２つの折り構造１１に関して、構造的に別個の２つのハープ０９に配置することができ、また構造的に共通の１つのハープ０９にたとえば２列に配置することができる。２つのセクション、もしくは全体で４つの印刷タワー０１（４つのウェブ０３；０３´）を有する印刷機では、ザンメル印刷運転形式で、たとえば９６頁の全体厚さを有する製品が製作可能である。
【００９２】
２つのセクションのために単に１つの折り構造１１が設けられている場合、必要なハープローラ８９；９３の数は、両方のセクションの配置構成に応じて特定される。折り構造１１がこれら両方のセクションの間に配置されていると、全てのハープローラ８９；９３は一列に整合して配置されているか、または構造高さを節減するために、各セクションのハープローラ８９；９３はそれぞれ一列に整合して配置されており、これらの列は互いに半径方向で水平にずらして配置されている。両方の列のハープローラ８９；９３は、ここではたとえば共通のフレームに配置されている。
【００９３】
図１に示したように、両方のセクションのために２つの折り構造１１が設けられている場合、有利には、両方のハープ０９のうちの少なくとも１つのために、幾つかのハープローラ８９；９３が、場合によっては、両方のセクションにとって必要である前述の両方の列に設けられている。したがって製品厚さおよび製品構成において高い融通性が得られる。１セクションで印刷されるウェブ０３；０３´は、後続処理のために必要に応じて別の１セクションのハープ０９に供給することも、またこれとは逆の形式で供給することもできる。
【００９４】
図１８の実施例では、上位の折りフォーマ１０１，１０２，１０３の手前に配置された共通のハープ０９を通走する部分ウェブ０３ａ；０３ｂ；０３ｃなどの少なくとも１つが、下位の折りフォーマ１０６；１０７；１０８に供給されているか、もしくは供給可能である。個々の中間製品（小冊子、本）の所望の厚さに応じて、多少の部分ウェブ０３ａ；０３ｂ；０３ｃなどは、上位もしくは下位の折りフォーマ１０１，１０２，１０３もしくは１０６，１０７，１０８に搬送することができる。生産要求に応じて、様々な厚さのストランド１０９；１１１；１１２；１１３；１１４；１１６は、その都度下位もしくは上位の折りフォーマ１０１，１０２，１０３もしくは１０６，１０７，１０８に供給することができる。たとえば図１７において破線で示した部分ウェブは、ストランド１１３；１１４；１１６としてそれぞれ下位の折りフォーマ１０６，１０７，１０８に案内され、また実線で示した部分ウェブは、それぞれ上位の折りフォーマ１０１，１０２，１０３に案内される。したがって共通のハープ０９からの、上下に位置する部分ウェブ０３ａ；０３ｂ；０３ｃなどの「分離」がどこに位置するかに応じて、様々な厚さの中間製品（小冊子、本）または完成品のフレキシブルな生産が僅かなコストで実現可能である。図１８には、ハープローラ８９；９３の第２の列が破線で示されており、これらのハープローラによって、既に説明したようにたとえば部分ウェブ０３ａ；０３ｂ；０３ｃなどを別のセクションから受け取ることができる。
【００９５】
多色印刷製品を製作する場合、共通のハープ０９を備えた記載の折り構造１１を使用する際に、融通性に関して、全ての印刷ユニット０２または印刷タワー０１もしくはウェブ０３；０３´の経路を同じ色で構成すると有利である。したがってたとえばウェブ０３；０３´および／または部分ウェブ０３ａ；０３ｂ；０３ｃなどもしくは色付きの見返し（Deckblatt；カバーシート）のための印刷装置１３はフレキシブルに選択可能であり、中間製品の厚さは可変である。
【００９６】
上下に配置された２つの折りフォーマ１０１，１０２，１０３もしくは１０６，１０７，１０８のために１つのハープ０９しか備えていない前述の折り構造１１は、別の胴幅および胴周長さを有する別の印刷機にも適している。上下に配置された２つの折りフォーマ１０１，１０２，１０３；１０６，１０７，１０８と共通のハープ０９とから成るこのような形式の折り構造１１は、独自のハープ０９を備えた第３の折りフォーマの上方に配置することができる。鉛直で互いにずらされた複数の折りフォーマ１０１，１０２，１０３；１０６，１０７，１０８に対応配置された１つのハープ０９を備えた記載の折り構造１１は、上下に３段階に配置された折りフォーマ１０１，１０２，１０３；１０６，１０７，１０８にも良好に適用することができる。
【００９７】
したがってたとえば外側の本の外面は、特定のウェブ案内および／または特定の印刷タワー／印刷ユニットに対応配置させることができる。
【００９８】
複数の折りフォーマ１０１，１０２，１０３；１０６，１０７，１０８に対応配置されたハープ０９によって、上下に位置する部分ウェブ０３ａ；０３ｂ；０３ｃなどを、所望の生産形式に応じて、フレキシブルに処理して様々な厚さの本を製作することができ、それも部分ウェブ０３ａ；０３ｂ；０３ｃなどの追加的な必要のない変位に関する高いコストが必要とされることはない。したがって１実施例ではたとえば上下に位置する４つの部分ウェブ０３ａ；０３ｂ；０３ｃなどのうちの３つウェブを折りフォーマ１０１，１０２，１０３；１０６，１０７，１０８に、かつ１つのウェブを別の折りフォーマ１０１，１０２，１０３；１０６，１０７，１０８に案内することができ、これに対して別の１実施例ではそれぞれ２つの部分ウェブ０３ａ；０３ｂ；０３ｃなどをまとめて１つの折りフォーマ１０１，１０２，１０３；１０６，１０７，１０８に案内することができる。特に有利には、相並んで位置するストランド１０９；１１１；１１２；１１３；１１４；１１６は、図１７に示したように、それぞれ異なる厚さでまとめることができる。
【００９９】
折りフォーマ１０１，１０２，１０３；１０６，１０７，１０８にそれぞれ前置された引張りローラ１１７およびフォーマ走入ローラ１１８は、有利な実施例では、折り構造１１に設けられた引張りローラ１２１（図１９）と同様に、それぞれ独自の駆動モータ１１９を備えている。図１９では、折りフォーマ１０６；１０７；１０８の下位の一群のための引張りローラ１１７は看取できない。引張りローラ１２１の各駆動モータ１１９は、図１９では、単に該当する引張りローラ１２１を塗りつぶして示した。各折りフォーマ１０１，１０２，１０３；１０６，１０７，１０８には、有利な実施例では、このように駆動される少なくとも１つの引張りローラ１２１が後置されており、この引張りローラ１２１は、ストランド１０９；１１１；１１２；１１３；１１４；１１６を介して押圧ローラと協働する。これ以外に折り構造１１は、有利には非駆動式のガイドローラ１２２を備えており、これらのガイドローラ１２２を介して１印刷面幅のストランド１０９；１１１；１１２；１１３；１１４；１１６を案内することができる。
【０１００】
特に有利には、たとえば縦レジスタの維持／調整に関して、折り装置１２もまた、印刷ユニット０２から機構的に独立した少なくとも１つの独自の駆動モータ１２０を備えている。折り構造１１の引張りローラもしくはフォーマ走入ローラ１１７；１１８；１２１の駆動モータ１１９および／または上部構造０４の被駆動式の引張りローラ８１は、単に回転数に関して調整するように構成すればよく（角度位置に関して構成してもよい）、これに対して折り装置１２の駆動モータ１２０は、有利な実施例では、角度位置に関して調整可能もしくは調整するように構成されている。
【０１０１】
したがって１実施例では、機構的に互い独立して駆動される印刷ユニット０２および折り装置１２（もしくはこれらの駆動モータ６１；１２０）に、電子的な仮想案内軸に関して角度位置を設定することができる。別の実施例では、たとえば折り装置１２（もしくはその駆動モータ１２０）の角度位置が検出され、この角度位置に基づいて、印刷ユニット０２もしくは印刷装置１３の、折り装置の角度位置に対する相対角度位置が設定される。たとえば被駆動式のローラ８１；１１７；１１８の、単に回転数に関して調整される駆動モータ８０；１１９は、たとえば機械制御装置から基準回転数を受け取る。
【０１０２】
３倍幅で２倍サイズの転写胴および版胴を備えたウェブ輪転印刷機と、適当な折り構造との構成によって、１つのウェブを用いて、たとえば２倍生産で、
−１２頁の１冊の本、または
−４頁の１冊の本および８頁の１冊の本、または
−６頁の２冊の本、または
−４頁の３冊の本、
および別のバリエーションの本を生産することができる。
ザンメル印刷生産では、縦折りされた２つの区分から集められた中間製品の頁数は倍になる。
【０１０３】
タブロイド判の印刷のためには、頁数がその都度２倍になる。胴１６；１７；１８ならびに折りフォーマ１０１，１０２，１０３；１０６，１０７，１０８の折りフォーマ群の寸法設定は、適当な形式で、それぞれ「横置き」された印刷面に用いることができ、この場合ウェブ０３；０３´；０３ａ；０３ｂ；０３ｃの周方向もしくは走行方向で、区分Ａ；Ｂ；Ｃは、横置きされた２印刷面を備えており、つまり胴１６は、たとえばタブロイド判で横置きされた４印刷面に対応する周長さを有している。縦方向の印刷面の数は、各ウェブ０３；０３´；０３ａ；０３ｂ；０３ｃもしくは胴１６；１７；１８もしくはフォーマ幅で同じままである。
【０１０４】
３倍幅の印刷機の特に有利な実施例では、折り装置１２は、搬送胴１２３、たとえば集合胴および／または折りブレード胴（Falzmesserzylinder）を備えて形成されており、搬送胴１２３は、周方向で相前後して配置された６つ以上の区分長さと適当な数の保持装置１２９とを収容するための周長さを備えている。
【０１０５】
折り装置１２に、特に３つのストランド１０９；１１１；１１２；１１３；１１４；１１６が、相並んで配置された３つの折りフォーマ１０１；１０２；１０３；１０６；１０７；１０８から同時に供給可能である。折り装置には、それぞれ異なるフォーマ群から、製品に加工される６つまでのストランド１０９；１１１；１１２；１１３；１１４；１１６が供給可能である。
【０１０６】
搬送胴１２３は、前述の周長さを備えて形成されており、これによって適当な大きさの調節運動（断裁、保持、折り）を高い生産速度で確実に保証することができる。また一方では比較的大きな曲率半径によって、特に厚い製品の場合に顕著な、横断ちされた製品の斜めの断裁縁が抑えられる。
【０１０７】
図２０には、折り装置１２を概略的に側面図で示した。折り装置１２は、単層または多層のストランド１０９；１１１；１１２；１１３；１１４；１１６のための少なくとも１つの入口、ここでは２つの入口を備えている。
【０１０８】
ストランド１０９；１１１；１１２；１１３；１１４；１１６は、張力を調節するための引張りローラ対１２４を通走して、搬送胴１２３と断裁胴１２７との間の断裁ギャップ１２６の高さ位置で搬送胴１２３に到達する。２つの入口および２つの断裁ギャップ１２６の代わりに、１つまたは３つ以上の入口および断裁ギャップを設けることもできる。
【０１０９】
断裁胴１２７は、ウェブ０３；０４から製作される折り丁の長さの少なくとも単倍、有利には２倍または３倍以上の長さに応じた周長さを有していて、かつ２つの断裁ナイフ（カッタ）１２８を備えている。
【０１１０】
図示の折り装置１２は、ここでは搬送胴１２３の周に沿って配置されたこのような形式の２つの断裁胴２７を備えており、断裁胴１２７はそれぞれ２つの断裁ナイフ１２８を備えている。図示したように、折り装置１２で製品にまとめられる２つのストランド１０９；１１１；１１２；１１３；１１４；１１６またはストランド束１３５（たとえばそれぞれ異なる折りフォーマ１０１；１０２；１０３；１０６；１０７；１０８から到来する）は、両方の断裁ギャップ１２６に案内されて、そこで個別的に断裁される。断裁ナイフ１２８は、有利な実施例では互いに１８０°を僅かに大小してずらして周に沿って配置されており、これによってザンメル運転形式で、既に収容された折り丁の再度の断裁を防止することができる。したがって１折り丁は、断裁胴１２７の半分の周長さよりも短く、これに続く１折り丁は、断裁胴１２７の半分の周長さよりも長く断裁される。この場合折り丁の長さは、中間の長さと理解することができる。
【０１１１】
さらに搬送胴１２３は、周の領域で２つの搬送装置１２９の間に図示していないディスプレーサバー（Verdraengerleiste）を備えており、ディスプレーサバーは、周面から突出する際に周長さに関する折り丁の効果的な短縮をもたらす。したがって第２の（下位の）断裁胴１２７で断裁された折り丁もまた断裁することができ、それも既に搬送胴１２３に載置している（ディスプレーサバーによって効果的に短縮された）折り丁は再度断裁されることはない。
【０１１２】
搬送胴１２３の周長さは、６つ以上、特に７つの区分長さもしくは折り丁の７つの長さに相当する（７フィールド搬送胴１２３）。搬送胴１２３に、周方向でみて相前後して等間隔で、搬送胴１２３の周面に埋設された７つの保持装置１２９、たとえば挿出可能なピンホールニードル（Punkturnadel）を備えたピンホールバー（Punkturleiste）１２９が配置されている（ピンホール式折り装置；Punkturfalzapparat）。保持装置１２９は、グリッパ１２９として形成することもできる（グリッパ式折り装置）。
【０１１３】
ストランド１０９；１１１；１１２；１１３；１１４；１１６から断裁された折り丁（区分長さ、たとえば縦置きの印刷面、特に新聞頁の長さ）は、搬送胴１２３に設けられた保持装置１２９によって後続搬送される。
【０１１４】
搬送胴１２３にはさらに７つの折りブレード１３０が取り付けられており、折りブレード１３０は、それぞれ搬送胴１２３と折りフラップ胴１３２との間のギャップ１３１に到達する際に挿出され、これによって搬送胴１２３に搬送された折り丁は、折りフラップ胴１３２に公知の形式で引き渡して折り畳むことができる。折られた製品は、折りフラップ胴１３２から羽根車１３３に送られ、羽根車１３３から排出装置１３４、たとえば搬送ベルト１３４に排出される。
【０１１５】
有利には、折り装置１２もしくは折り装置の搬送胴１２３は、選択的に通常運転方式とザンメル運転方式との間で切換可能に形成されている。ザンメル運転方式では、搬送胴１２３は、折り丁（製品区分）を、ギャップ１３１を最初に通走する際には未だ後続の胴に渡さずに、折り丁を備えたままさらに回転し、第１の折り丁を把持する保持手段１２９が少なくとも１つの別の折り丁を収容して、そのあとでそうして集められた折り丁はまとめてギャップ１３１で折りフラップ胴１３２に引き渡される。通常運転方式では、搬送胴１２３は、折り丁を、ギャップ１３１を最初に通走するごとに後続の胴に渡す。搬送胴１２３は、切換可能な実施例では、有利にはピンホール胴（Punkturzylinder）１２３として、特に７つのピンホールバー１２９を周に備えて形成されている。
【０１１６】
断裁胴１２７、搬送胴１２３、折りフラップ胴１３２および場合によっては羽根車１３３は、有利には少なくとも１つの駆動モータ１３６（図１９に駆動モータ１２０を概略的に示した）によって機構的に印刷ユニット０３、上部構造０４ならびに折り構造１１から独立して駆動される。
【０１１７】
図２０に示した実施例では、駆動モータ１３６から図示していない小歯車もしくは駆動車を介して断裁胴１２７（もしくは複数の断裁胴１２７）が駆動される。断裁胴１２７から搬送胴１２３が駆動され、搬送胴１２３から折りフラップ胴１３２および場合によっては別の断裁胴１２７が駆動される。折りフラップ胴１３２から、ここではベルト伝動装置１３７を介して羽根車１３３が駆動される。
【０１１８】
図２０に波線で示唆したバリエーションでは、ここでは図示していない駆動装置１３６から小歯車１３８または駆動車１３８（波線で示した）を介して搬送胴１２３が駆動される。搬送胴１２３から単数または複数の断裁胴１２７および折りフラップ胴１３２が駆動される。折りフラップ胴１３２からたとえばここでもベルト伝動装置１３７を介して羽根車１３３が駆動される。これら記載の両方の場合では、排出装置１３４は、有利には胴１２３；１２７；１３２および羽根車１３３から機構的に独立した独自の駆動モータを備えている。
【０１１９】
断裁胴１２７、搬送胴１２３および折りフラップ胴１３２は、それぞれ機構的に独立して、かつ印刷装置から独立して、独自の駆動モータによって駆動することもできる。
【０１２０】
駆動に関する別の有利な実施例では、断裁胴１２７、搬送胴１２３および折りフラップ胴１３２は、共通の、または選択的に印刷装置から機構的に独立した、少なくとも１つの駆動モータ１３６によって駆動され、これに対して第１のバリエーションでは、羽根車１３３および排出装置１３４は、共通の駆動モータによって、胴１２３；１２７；１３２および印刷装置から機構的に独立して回転駆動され、第２のバリエーションでは、それぞれ独自の駆動モータによって回転駆動される。
【０１２１】
周に７つの区分長さを有する搬送胴１２３の実施例によって、前述の理由から、１２個のウェブ０３もしくは適当な数の部分ウェブ０３ａ；０３ｂ；０３ｃなど（７２個の紙層まで）を、６つまでのストランド１０９；１１１；１１２；１１３；１１４；１１６に分けて折り装置１２に案内することができる。これによって折り装置１２によってザンメル運転方式を用いることなしにたとえば全体で１４４面、特に新聞頁の製品を製作することができる。折り装置１２がザンメル運転方式のために形成されていると、６つのウェブ０３によって１４４頁の製品を製作するか、または７つ以上のウェブによってさらに多くの頁数の製品を製作することができる。このような製品のために、折り装置１２は、たとえば回転式折り装置（Raederfalz）として形成されているか、または保持装置１２９および折りフラップはこのような多数の層を収容するために適当な構成で形成する必要がある。
【０１２２】
この場合有利には、入口領域において、単数または複数の引張りローラ対１２４は、それぞれ少なくとも１つの独自の駆動モータ１３９を備えている。これによって折り装置１２の入口領域で複数のストランド１０９；１１１；１１２；１１３；１１４；１１６は、まとめることができる。有利な実施例では、折り装置１２は、図示したように、入口領域で２つの引張りローラ１２４と、搬送ローラ１２３と協働する２つの断裁胴１２７とを備えている。これによって入口領域では、複数のストランド１０９；１１１；１１２；１１３；１１４；１１６をまとめて２つの「束」を形成することができ、これらの束は相前後して搬送胴１２３に案内され、互いに個別的に断裁することができる。このような構成手段もまた、追加的に既に説明したような、達成される製品厚さの形成に寄与する。この場合それぞれ異なる数または同じ数のストランド１０９；１１１；１１２；１１３；１１４；１１６の束は、両方の引張りローラ１２４に供給することができ、また単に全てのストランドまたは幾つかのストランド１０９；１１１；１１２；１１３；１１４；１１６を、両方のうちの１つの引張りローラ１２４に供給することもできる。
【０１２３】
図示の実施例では、折り装置１２は、断裁ギャップ１２６の手前で、駆動モータ１４１によって駆動される別の１つの引張り構成群１４２（もしくは２つの入口の場合別の２つの引張り構成群）を備えている。このことは特に２つの断裁胴１２７が設けられている場合に有利である。引張り構成群１４２は、「束経路」に沿って同じ距離区間だけ対応配置された断裁ギャップ１２６から離間している。
【０１２４】
折り装置１２の有利な実施例（特に図示して説明した折り装置１２に関するものだけではない）では、折り装置１２は、周方向で相前後して配置された２つの断裁ナイフ１２８を備えた単数（または複数の）断裁胴１２７´の代わりに、周方向で４つの断裁ナイフ１２８を備えた断裁胴１２７´を備えている（図２６）。２つまたは３つ以上のストランドまたはストランド束は、たとえば断裁ギャップ１２６に走入するまえに、ローラまたはローラ対１２５（特にモータ駆動式の（引張り構成群１２５）または非駆動式の（変向ローラ））を介してまとめることができる。図２６には、図面を簡略化するために、駆動系を含めた、一般的な搬送系（駆動モータ１４１、被駆動式の引張り構成群１４２など）および駆動モータ１３６の図示を省略した。ここでは有利には、裁断胴１２７は、前述のバリエーション（上位の断裁胴１２７のない形式のものも含めて）で形成することができる。周は、ウェブ０３；０４から製作される折り丁の４つの（平均の）長さに相当する。さらにまた１実施例では、既に説明したように、断裁ナイフ１２８は、断裁胴１２７´の周に沿って等距離で配置されておらず、角度セグメントは周に沿って交互に幾分か９０°より大小している。
【０１２５】
周に沿って４つの断裁ナイフ１２８もしくは４つの区分長さ（折り丁）を有する断裁胴１２７´（４倍の周長さを有する断裁胴）は、かなり厚みのある支承部の使用および／または比較的大きなジャーナル厚さおよび／または胴体自体の比較的厚い構造形式を実現し、このことは安定性の向上に寄与する。したがって比較的厚い製品（多層）を断裁することができる。なぜならば比較的高い力を及ぼすことができるからである。比較的小さな製品厚さのためには、ねじれおよび／またはたわみが僅かなので断裁精度を高めることができる。
【０１２６】
比較的多くの頁数および比較的高い速度に関して、折り機もしくは折り装置１２では、遠心力、ニードル（ピンホール）もしくはクランプ（グリッパ）および折り過程自体の他に、断裁過程および断裁能力も問題的なパラメータである。したがって４倍の周長さを有する断裁胴１２７´は、比較的大きな製品厚さのストランドを断裁できるので、３倍幅の印刷ユニット０２を備えた前述の印刷機に極めて有利な形式で配置されていて、かつ／または７フィールド式の搬送胴１２３と協働して配置されている。４倍の周長さを有する実施例は、説明した実施例以外に任意の輪転印刷機に使用可能で、かつ／または別のサイズの多フィールド式（５または７）の搬送胴と協働して使用可能で、これによって精度および／または実現可能な製品厚さを高めることができる。４倍の断裁胴１２７´は、搬送胴における断裁条片および場合によってはそこに設けられる溝ゴムに作用する際に断裁ナイフ１２８の比較的僅かな傾動をもたらし、したがって２倍の断裁胴１２７を使用する場合よりも小さな断裁出力（エネルギもしくは力）しか必要としない。溝ゴム対する断裁ナイフの差込および交換は、断裁ナイフ１２８の極めて小さな傾斜角で行われる。断裁ナイフ１２８の曲げ負荷も押圧負荷も、２倍の断裁胴１２７を使用する場合よりも総じて僅かである。
【０１２７】
４倍の断裁胴１２７´の配置構造によって、比較的厚い製品にもかかわらず、搬送胴１２３の周に沿って設けられる第２の２倍の断裁胴１２７を省略することができる。
【０１２８】
印刷装置１３、図示の上部構造０４、折り構造１１および折り装置１２の記載の実施例、および／または単数または複数の追加的な印刷装置１５１、特に３胴式印刷装置１５１を備えた追加的な印刷ユニット１５２の配置構造に関してあとで説明する実施例の駆動コンセプト、および／またはこれによって有利なウェブガイドおよび／または印刷製品（図２１〜図２５参照、ここでは繰り返しとなる符号は部分的に図２１にしか示していない）は極めて有利である。
【０１２９】
追加的な印刷装置１５１もしくは印刷箇所は、印刷ユニット０２に対応して間接的な平版印刷のための印刷装置１５１として形成されており、つまり印刷装置１５１は、印刷箇所と版胴１６との間に転写胴１７を備えている。
【０１３０】
印刷タワーＴ１；Ｔ２；Ｔ３に、少なくとも１つの別の印刷装置１５１、つまり少なくとも１つの印刷箇所を備えた少なくとも１つの追加的な印刷ユニット１５２（補助印刷ユニット１５２）が対応配置されている。特に印刷タワーＴ１；Ｔ２；Ｔ３に、１つまたは２つの印刷装置１５１における少なくとも２つの印刷箇所が対応配置されており、これらの印刷箇所は、共通の補助印刷ユニット１５２または個別的な補助印刷ユニット１５２に配置されている。追加的な印刷箇所は、有利には印刷タワーＴ１；Ｔ２；Ｔ３の印刷箇所の上方に設けられている。印刷タワーＴ１；Ｔ２；Ｔ３は、有利には全体で８つの印刷箇所を有しており、印刷箇所を通って、たとえばウェブガイドおよび印刷タワーＴ１；Ｔ２；Ｔ３を形成する印刷ユニット０２の特徴に応じて、単数または複数のウェブＢ１０；Ｂ２０；Ｂ３０；Ｂ４０は片面または両面で印刷可能である。印刷タワーＴ１；Ｔ２；Ｔ３の印刷ユニット０２は、鉛直方向で上下に配置されていて、かつ有利にはサテライト型印刷ユニット０２として形成されている。
【０１３１】
少なくとも２つのサテライト型印刷ユニット０２に、たとえば２つの３胴式印刷装置１５１として形成された追加的な２つの印刷箇所が対応配置されており、これらの印刷箇所によって、たとえばそれぞれ片面で少なくとも１つの印刷タワーＴ１；Ｔ２；Ｔ３で印刷された２つのウェブＢ１０；Ｂ２０；Ｂ３０；Ｂ４０が別の片面で単色印刷可能である。
【０１３２】
両方のサテライト型印刷ユニット０２は、互いに対応配置されており、印刷タワーＴ１；Ｔ２；Ｔ３の構成部材は、サテライト型印刷ユニットによって、選択的に２つのウェブＢ１０；Ｂ２０；Ｂ３０；Ｂ４０を、それぞれ片面で多色印刷（多色刷り）することができるか、または１つのウェブＢ１０；Ｂ２０；Ｂ３０；Ｂ４０を両面で多色印刷することができる。
【０１３３】
両方のサテライト型印刷ユニット０２は、互いに上下に積み重ねて配置されている。これらのサテライト型印刷ユニット０２は、有利にはそれぞれ９胴式サテライト型印刷ユニット０２として形成されている。
【０１３４】
３胴式印刷装置１５１は、版胴１６および転写胴１７から成る胴対と、転写胴１７と協働する対抗圧胴とを備えている。
【０１３５】
両方の３胴式印刷装置１５１は、有利にはまとめて（構成スペース、構成ユニット）６胴式印刷ユニット１５２として形成されており、両方の３胴式印刷装置１５１は、個々の構成ユニットとして形成することもできる。さらに単に１つの印刷箇所を、たとえば３胴式印刷装置１５１の構成で印刷タワーＴ１；Ｔ２；Ｔ３の上方に設けることもできる。
【０１３６】
有利には、両方の３胴式印刷装置１５１（６胴式印刷ユニット１５２）は、対応配置された両方のサテライト型印刷ユニット０２の最後の印刷箇所の上方に配置されている。６胴式印刷ユニット１５２は、たとえば対応配置された印刷タワーＴ１；Ｔ２；Ｔ３に積み重ねて配置されている。６胴式印刷ユニット１５２は、製品に応じて、ウェブ技術的に対応配置された印刷タワーＴ１；Ｔ２；Ｔ３とは異なった、特に隣接する印刷タワーＴ１；Ｔ２；Ｔ３に積み重ねて配置してもよい。
【０１３７】
サテライト型印刷ユニット０２と両方の３胴式印刷装置１５１とは、互いに（ウェブ技術的に）対応配置されており、ウェブは、選択的に第１の運転形式で両方のサテライト型印刷ユニット０２を通って案内され、第２の運転形式でサテライト型印刷ユニット０２の１つと３胴式印刷装置１５１の１つとを通って案内され、また第３の運転形式で両方の３胴式印刷装置１５１を通って案内されるようになっている。
【０１３８】
サテライト型印刷ユニット０２と両方の３胴式印刷装置１５１とは、互いに（ウェブ技術的に）対応配置されており、選択的に第１の運転形式で第１のウェブは両方のサテライト型印刷ユニット０２を通って、かつ第２のウェブは両方の３胴式印刷装置１５１を通って案内され、また第２の運転形式で２つのウェブはそれぞれサテライト型印刷ユニット０２の１つと、３胴式印刷装置１５１の１つとを通って案内されるようになっている。
【０１３９】
２つのウェブは、たとえば印刷タワーＴ１；Ｔ２；Ｔ３と６胴式印刷ユニット１５２とを通って案内されており、ウェブは印刷後にそれぞれ片面で多色印刷され、別の片面で単色印刷されるようになっている。
【０１４０】
２つのウェブのうちの一方は、たとえば印刷タワーＴ１；Ｔ２；Ｔ３を通って案内され、他方のウェブは、単に６胴式印刷ユニット１５２を通って案内されており、一方のウェブは両面で多色印刷され、また他方のウェブは両面で単色印刷（Ｓガイド）されるかまたは片面で２色印刷（Ｃガイド、図示せず）されるようになっている。
【０１４１】
少なくとも印刷機は、それぞれ２つのサテライト型印刷ユニット０２を備えた複数の印刷タワーＴ１；Ｔ２；Ｔ３を備えていて、また追加的に少なくとも１つの６胴式印刷ユニット１５２を備えている。
【０１４２】
印刷機は、たとえば少なくとも２つ、特に少なくとも３つの、互いに対になって隣接する印刷タワーＴ１；Ｔ２；Ｔ３を備えており、この場合少なくとも１つの６胴式印刷ユニット１５２は、２つ、特に３つの印刷タワーＴ１；Ｔ２；Ｔ３の１つに積み重ねて配置されている。有利には、前述の形式でそれぞれ対応配置された該当する印刷タワーの間に、別の作業段、特に折り構造および／または折り装置が配置されていない。この場合本質的に別の印刷装置１５１が印刷ユニット０２の印刷装置１３の上方に配置されている。別の印刷装置１５１は、有利には印刷タワーＴ１；Ｔ２；Ｔ３の１つに積み重ねて配置されている。
【０１４３】
たとえば印刷機は、互いに対になって隣接する（少なくとも）３つの印刷タワーＴ１；Ｔ２；Ｔ３を備えており、この場合少なくとも１つの６胴式印刷ユニット１５２が３つの印刷タワーＴ１；Ｔ２；Ｔ３のに積み重ねて配置されている。３つの印刷タワーＴ１；Ｔ２；Ｔ３に、共通の６胴式印刷ユニット１５２が対応配置されており、６胴式印刷ユニット１５２は、有利には３つの印刷タワーＴ１；Ｔ２；Ｔ３の中央の印刷タワーに積み重ねて配置されている。
【０１４４】
３つのウェブは、たとえば印刷タワーＴ１；Ｔ２；Ｔ３の少なくとも２つと６胴式印刷ユニット１５２とを通って案内されており、これらのうちの２つのウェブは印刷後にそれぞれ片面で多色印刷され、かつ別の片面で単色印刷され、また第３のウェブは両面で多色印刷されるようになっている（図２３、図２４および図２５）。
【０１４５】
３つのうちの２つのウェブは、選択的なウェブガイドで、印刷タワーＴ１；Ｔ２；Ｔ３のうちの少なくとも２つを通って案内され、また第３のウェブは、単に６胴式印刷ユニット１５２を通って案内されており、前者の両方のウェブは両面で多色印刷され、また第３のウェブは両面で単色（または片面で２色）印刷されるようになっている（図２１および図２２）。
【０１４６】
印刷機は、有利にはウェブを案内するための手段１５３（変向ローラ１５３および／または図示していない引込経路）を備えており、ウェブガイド手段は、選択的にこのような生産形式および前述の生産形式で印刷機の運転を実現する（図２３に例示した）。特に図２３においてウェブＢ２０に関して例示したように、変向ローラ１５３が設けられており、変向ローラ１５３は、追加的な印刷装置１５１に対するウェブＢ１０；Ｂ２０；Ｂ３０；Ｂ４０のガイドを実現しており、ウェブは、予め隣接するサテライト型印刷ユニット０２で印刷されており、直接的にその下方に位置する印刷ユニットでは印刷されていない。有利には印刷装置１５１を通って２つのウェブＢ１０；Ｂ２０；Ｂ３０；Ｂ４０が案内される場合、これらのウェブは、予め同じ印刷タワーＴ１；Ｔ２；Ｔ３の両方のサテライト型印刷ユニット０２で印刷されている。
【０１４７】
４つのウェブは、有利な実施例では、３つの印刷タワーＴ１；Ｔ２；Ｔ３と１つの６胴式印刷ユニット１５２とを通って案内されており、４つのうちの２つのウェブは印刷後にそれぞれ片面で多色印刷され、かつ別の片面で単色印刷され、また別の２つのウェブは両面で多色印刷されるようになっている（図２３、図２４および図２５）。別のウェブガイドでは、４つのうちの３つのウェブが３つの印刷タワーＴ１；Ｔ２；Ｔ３を通って案内され、かつ第４のウェブが単に６胴式印刷ユニット１５２を通って案内されており、前者の３つのウェブは両面で多色印刷され、また第４のウェブは両面で単色印刷される（図２１および図２２）か、または片面で２色印刷されるようになっている（図示せず）。印刷機は、有利には前述のウェブガイド手段１５３を備えており、ウェブガイド手段１５３は、選択的に２つ（もしくは３つ）の記載の運転形式に応じて印刷機の運転を実現する。
【０１４８】
多色とは、前述の実施例ではたとえば４色である。
【０１４９】
印刷機の１運転形式では、４つのウェブは、３つの印刷タワーＴ１；Ｔ２；Ｔ３と６胴式印刷ユニット１５２とによって印刷されており、片面で多色印刷され、かつ別の片面で単色印刷された２つのウェブは、印刷後に折りフォーマ構造ＴＲもしくは上部構造１１に向かう経路上で、両面で多色印刷された２つのウェブの間に位置するようになっている（図２４）。この場合片面で両面印刷され、かつ別の片面で単色印刷された２つのウェブは、たとえば３つの印刷タワーＴ１；Ｔ２；Ｔ３の中央の印刷タワーと６胴式印刷ユニット１５２とを通って案内されるようになっている。
【０１５０】
別の運転形式では、４つのウェブは、３つの印刷タワーＴ１；Ｔ２；Ｔ３と６胴式印刷ユニット１５２とによって印刷されており、片面で多色印刷され、かつ別の片面で単色印刷された２つのウェブは、印刷後に折り構造ＴＲに向かう経路上で、両面で多色印刷されたウェブの下方に位置するようになっている（図２３）。この場合片面で多色印刷され、かつ別の片面で単色印刷された２つのウェブは、たとえば３つの印刷タワーＴ１；Ｔ２；Ｔ３のうちの、折り構造ＴＲに近接する印刷タワーと６胴式印刷ユニット１５２とを通走するようになっている。
【０１５１】
別の１運転形式では、４つのウェブは、３つの印刷タワーＴ１；Ｔ２；Ｔ３と６胴式印刷ユニット１５２とによって印刷されており、片面で多色印刷され、かつ別の片面で単色印刷された２つのウェブは、印刷後に折りフォーマ構造ＴＲに向かう経路上で、両面で多色印刷された２つのウェブの上方に位置するようになっている（図２５）。この場合片面で多色印刷され、かつ別の片面で単色印刷されたウェブは、３つの印刷タワーＴ１；Ｔ２；Ｔ３のうちの、折りフォーマ構造ＴＲから離間して位置する印刷タワーと６胴式印刷ユニット１５２とを通走するようになっている。
【０１５２】
この場合印刷機は、有利にはウェブを案内するための手段１５３を備えており、ウェブガイド手段１５３は、選択的に記載の３つの運転形式に応じて印刷機の運転を実現する。
【０１５３】
サテライト型印刷ユニットは、版胴１６と転写胴１７とから成る、複数、特に４つの胴対と、少なくとも１つの転写胴１７と協働する少なくとも１つの共通圧胴１８とを備えている。有利には４つの胴対に１つの共通圧胴１８が対応配置されている。４つの胴対に対して２つの共通圧胴を対応配置することもできる。
【０１５４】
１実施例では、それぞれ駆動結合部として２つの胴対が、共通の、それぞれ別の駆動結合部から独立した駆動モータ６１によって駆動されている。たとえば共通圧胴１８（または２つのうちのそれぞれ１つの共通圧胴１８）は、駆動結合部の１つによって駆動されている。
【０１５５】
有利には、共通圧胴１８は、少なくとも１つの独自の駆動モータ６１によって、胴対とは無関係に駆動されている。
【０１５６】
２つの共通圧胴１８を用いる場合、これらの共通圧胴１８は、少なくとも１つの共通の駆動モータ６１によって、胴対とは無関係にまとめて駆動することができる。
【０１５７】
胴対は、有利な実施例では、それぞれ少なくとも１つの独自の駆動モータ６１によって、別の胴対とは無関係に駆動されている。この場合各胴対は、独自の駆動モータ６１を備えることができる。
【０１５８】
比較的簡単な１実施例では、胴対の両胴は連結されていて、かつ共通の駆動モータ６１によって駆動される。
【０１５９】
比較的簡単な１実施例では、インキ装置１４は、対応配置された版胴１６の駆動によって駆動される。対応配置された版胴１６の駆動とは無関係に、独自の駆動モータ６１によって駆動することもできる。
【０１６０】
追加的な印刷装置１５１は、版胴１６および転写胴１７から成る胴対と、転写胴１７と協働する圧胴もしくは対抗圧胴１８とを備えている。同じことが第２の印刷装置１５１についても当てはまる。符号としてここでは印刷ユニット０２と同じ符号を用いた。なぜならば図示の実施例でも、胴１６；１７；１８の適当な機能性を有する間接的な平版印刷法に関するものである、という理由による。
【０１６１】
これに応じて、６胴式印刷ユニット１５２は、版胴１６および転写胴１７から成る２つの胴対と、胴対ごとに、転写胴１７と協働する１つの対抗圧胴とを備えている。
【０１６２】
単数もしくは複数の胴対（印刷装置１５１もしくは６胴式印刷ユニット１５２）は、有利な実施例では、少なくとも１つの独自の駆動モータ６１によって、別の胴対とは無関係に駆動される。
【０１６３】
たとえば胴対の各胴は、独自の駆動モータ６１を備えることができる。有利な１実施例では、胴対の両方の胴は連結されていて、かつ共通の駆動モータ６１によって別の胴対とは無関係に駆動される。
【０１６４】
インキ装置１４は、比較的簡単な１実施例では、対応配置された版胴１６の駆動によって駆動される。対応配置された版胴１６の駆動とは無関係に、独自の駆動モータ６１によって駆動することもできる。
【０１６５】
両方の対抗圧胴は、有利な実施例では、それぞれ独自の駆動モータ６１によって、胴対とは無関係に、かつそれぞれ無関係に駆動される。このことは２つの印刷装置の独立した位置決めに関して有利である。
【０１６６】
場合によっては、必要な場合、両方の対抗圧胴は、共通の少なくとも１つの駆動モータ６１によって、胴対とは無関係に駆動することができる。
【０１６７】
極めて簡単な実施例では、対抗圧胴は、それぞれ対応配置された胴対から駆動することができる。
【０１６８】
有利な実施例では、胴対の胴は、それぞれ対になってそれぞれ１つの駆動モータ６１によって駆動され、また対抗圧胴は、それぞれ個別的に各駆動モータ６１によって駆動される。
【０１６９】
印刷機によって、印刷製品（もしくはウェブストランド）は製作可能であるので、印刷後に折りフォーマ走入に向かう経路上で互いに隣接する４つのウェブのうちの２つのウェブは、それぞれ片面で多色、特に４色印刷され、かつ別の片面で単色印刷され、また別の２つのウェブは両面で多色、特に４色印刷されるようになっている。
【０１７０】
たとえば４つのウェブの印刷製品／ストランドは、下方から上方にかけてみると、以下の色調を有している。最下位のウェブ１：４（裏面１色：表面４色）、第２のウェブ４：１、第３のウェブ４：４、第４のウェブ４：４。
【０１７１】
たとえば４つのウェブの印刷製品／ストランドは、下方から上方にかけてみると、以下の色調を有している。最下位のウェブ４：４（裏面４色：表面４色）、第２のウェブ１：４、第３のウェブ４：１、第４のウェブ４：４。
【０１７２】
たとえば４つのウェブの印刷製品／ストランドは、下方から上方にかけてみると、以下の色調を有している。最下位のウェブ４：４（裏面４色：表面４色）、第２のウェブ１：４、第３のウェブ４：１、第４のウェブ４：４。
【０１７３】
さらに１形式の印刷製品が製作可能であり、印刷後に折りフォーマ走入に向かう経路上でそれぞれ隣接する４つのウェブのうちの３つは、それぞれ両面で多色、特に４色印刷され、また第４のウェブは両面で単色印刷されるようになっている。
【０１７４】
たとえば４つのウェブの印刷製品／ストランドは、下方から上方にかけてみると、以下の色調を有している。最下位のウェブ４：４（裏面４色：表面４色）、第２のウェブ１：１、第３のウェブ４：４、第４のウェブ４：４。
【０１７５】
たとえば４つのウェブの印刷製品／ストランドは、下方から上方にかけてみると、以下の色調を有している。最下位のウェブ４：４（裏面４色：表面４色）、第２のウェブ４：４、第３のウェブ１：１、第４のウェブ４：４。
【０１７６】
印刷機の記載の実施例、特に６胴式印刷ユニット１５２を備えた実施例によって、製品において記載の多様性が達成され、それもこのために制御変更可能な印刷ユニットは必要としない。サテライト型印刷ユニット０２および６胴式印刷ユニット１５２の胴は、常に１回転方向で運転することができる。このことはミニギャップ技術（Minigap-Technologie）、つまり狭幅の開口２８の適用に関して有利であり、また装備および駆動の手間に関して有利である。
【０１７７】
印刷機は、たとえば特に新聞サイズの縦置きの印刷面の６つの幅である幅を有する印刷装置を備えて形成されている。少なくとも版胴１６の周長さは、特に新聞サイズの２印刷面の２倍長さである長さに実質的に相当する。
【０１７８】
３胴式印刷装置１５１の胴のために、胴１６；１７の記載の関係および実施例が適用される。
【図面の簡単な説明】
【０１７９】
【図１】ウェブ輪転印刷機の側面図である。
【図２】印刷装置の概略的な正面図である。
【図３】印刷装置の概略的な平面図である。
【図４】被覆体の斜視図である。
【図５】ａは、版胴の斜視図であり、ｂは、版胴の縦断面図であり、ｃは、保持エレメントの横断面図であり、ｄは、レジスタ装置を備えた保持エレメントの横断面図である。
【図６】ａは、転写胴の斜視図であり、ｂは、転写胴の縦断面図であり、ｃは、保持エレメントの横断面図であり、ｄは、充填エレメントの断面図である。
【図７】胴に被覆体を押圧するための装置を示す図である。
【図８】９本胴式サテライト型印刷ユニットを駆動するための１実施例を示す図である。
【図９】９本胴式サテライト型印刷ユニットを駆動するための１実施例を示す図である。
【図１０】９本胴式サテライト型印刷ユニットを駆動するための１実施例を示す図である。
【図１１】図８の実施例の１駆動形態を示す図である。
【図１２】上部構造の概略図である。
【図１３】短いレジスタ装置の１実施例を示す図である。
【図１４】短いレジスタ装置の１実施例を示す図である。
【図１５】ウェブをターニングするための１実施例を示す図である。
【図１６】図１５で用いられるウェブと共に、ハープを示す正面図である。
【図１７】ウェブ輪転印刷機の折り構造を示す図である。
【図１８】ウェブガイドを備えた折り構造を示す側面図である。
【図１９】ウェブガイドを備えた折り構造を示す正面図である。
【図２０】折り装置を概略的に示す側面図である。
【図２１】第１の実施例の第１のウェブガイドを示す図である。
【図２２】第２の実施例の第２のウェブガイドを示す図である。
【図２３】第３の実施例の第３のウェブガイドを示す図である。
【図２４】第４の実施例の第４のウェブガイドを示す図である。
【図２５】第５の実施例の第５のウェブガイドを示す図である。
【図２６】折り装置を概略的に示す側面図である。
【符号の説明】
【０１８０】
０１  印刷タワー、  ０２  印刷ユニット、サテライト型印刷ユニット、９胴式サテライト型印刷ユニット、１０胴式サテライト型印刷ユニット、Ｈ型印刷ユニット、  ０３  ウェブ、部分ウェブ、  ０３ａ，０３ｂ，０３ｃ  ウェブ、部分ウェブ、  ０３ｃ１，０３ｃ２  部分ウェブ、  ０４  上部構造、  ０６  縦断裁装置、  ０７  ターニング装置、  ０８  レジスタ装置、  ０９  ハープ、  １１  折り構造、  １２  折り装置、  １３  印刷装置、オフセット印刷装置、  １４  インキ装置、  １５  インキ溝、  １６  胴、版胴、  １７  胴、圧胴、  １８  圧胴、共通圧胴、  １９  被覆体、版、版板、  ２０  湿し装置、噴霧式湿し装置、  ２１  被覆体、ゴムブランケット、金属製ブランケット、  ２２  層、  ２３  支持プレート、  ２４  端部、先行端部、掛止脚部、  ２６  端部、後行端部、掛止脚部、  ２７  通路、  ２８  開口、  ２９  クランプ部材、クランプエレメント、  ３０  外套面、  ３１  ばねエレメント、  ３２  調節手段、中空体、管体、  ３３  見当エレメント、  ３４  台座、  ３５  レジスタブロック、見当ピン、  ３６，３７  通路、  ３８，３９  開口、スリット、  ４０  外套面、  ４１  開口、スリット、  ４２  孔、  ４３  クランプ部材、クランプエレメント、  ４４  ばねエレメント、  ４６，４７，４８  調節手段、中空体、管体、  ４９  充填エレメント、  ５１  開口、  ５２  押圧装置、  ５３  押圧エレメント、第１のローラエレメント、ローラ、  ５４  押圧エレメント、第２のローラエレメント、ローラ、  ５６  桁、  ５７，５８  調節手段、中空体、管体、  ６１  駆動モータ、電気モータ、  ６２  伝動装置、減速装置、  ６２´  補助伝動装置、  ６３  摩擦胴、  ６４  駆動モータ、  ６６  摩擦胴、  ６７  駆動モータ、  ６８  駆動結合部、  ７１  小歯車、  ７２，７３，７４  駆動車、  ７６  ジャーナル、  ７７，７８  駆動車、  ７９  駆動車、歯車、  ８０  駆動モータ、  ８１  ローラ、引張りローラ、  ８２  ターニングバー、ガイドエレメント、  ８３  支持体、  ８４  ガイド、  ８６  ローラ、ガイドエレメント、  ８７  ガイド、  ８８  搬送ローラ、ハープローラ、区分、  ８９  搬送ローラ、ハープローラ、ガイドエレメント、  ９１  レジスタローラ、  ９２  変向ローラ、  ９３  搬送ローラ、ハープローラ、レジスタローラ、ガイドエレメント、  ９４  支持体、  ９６  ガイド、  ９７  変向ローラ、  １０１，１０２，１０３  折りフォーマ、  １０４  縦断裁装置、  １０６，１０７，１０８  折りフォーマ、  １０９，１１１，１１２，１１３，１１４，１１６  ストランド、  １１７  引張りローラ、  １１８  フォーマ走入ローラ、  １１９，１２０  駆動モータ、  １２１  引張りローラ、  １２２  ガイドローラ、  １２３  搬送胴、  １２４  引張りローラ対、  １２５  ローラ対、引張り構成群、変向ローラ、  １２６  断裁ギャップ、  １２７  断裁胴、  １２７´  断裁胴、  １２８  断裁ナイフ、  １２９  保持装置、ピンホールバー、グリッパ、  １３０  折りブレード、  １３１  ギャップ、  １３２  折りフラップ胴、  １３３  羽根車、  １３４  搬送ベルト、  １３５  ストランド束、  １３６  駆動モータ、  １３７  ベルト伝動装置、  １３８  小歯車、駆動車、  １３９，１４１  駆動モータ、  １４２  ���張り構成群、  １５１  ３胴式印刷装置、  １５２  ６胴式印刷ユニット、  １５３  手段、変向ローラ、  Ａ，Ｂ，Ｃ，Ｄ，Ｅ，Ｆ  区分、  Ａ１，Ａ２，Ｂ１，Ｂ２，Ｃ１，Ｃ２，Ｄ１，Ｄ２，Ｅ１，Ｅ２，Ｆ１，Ｆ２  印刷面、  Ｂ１０，Ｂ２０，Ｂ３０，Ｂ４０  ウェブ、  ｂ０３  幅、ウェブ、ウェブ幅、  ｂ０３ａ  幅、部分ウェブ、  ｂ２３  幅、  ｂ２７  幅、  ｂ１０１  フォーマ幅、  ｌ  長さ、  Ｌ１６，Ｌ１７，Ｌ８２，Ｌ８６，Ｌ８８，Ｌ９３  長さ、  Ｍ  中央平面、  ＭＳ  材料厚さ、  Ｐ  生産方向、  Ｓ１６，Ｓ１７  スリット幅、  Ｕ  区分、  Ｔ１，Ｔ２，Ｔ３  印刷タワー、  α，β，α´  角度
【図１】
2006513072.tif 000003
【図２】
2006513072.tif 000004
【図３】
2006513072.tif 000005
【図４】
2006513072.tif 000006
【図５】
2006513072.tif 000007
【図６】
2006513072.tif 000008
【図７】
2006513072.tif 000009
【図８】
2006513072.tif 000010
【図９】
2006513072.tif 000011
【図１０】
2006513072.tif 000012
【図１１】
2006513072.tif 000013
【図１２】
2006513072.tif 000014
【図１３】
2006513072.tif 000015
【図１４】
2006513072.tif 000016
【図１５】
2006513072.tif 000017
【図１６】
2006513072.tif 000018
【図１７】
2006513072.tif 000019
【図１８】
2006513072.tif 000020
【図１９】
2006513072.tif 000021
【図２０】
2006513072.tif 000022
【図２１】
2006513072.tif 000023
【図２２】
2006513072.tif 000024
【図２３】
2006513072.tif 000025
【図２４】
2006513072.tif 000026
【図２５】
2006513072.tif 000027
【図２６】
2006513072.tif 000028
【手続補正書】
【提出日】平成17年3月14日(2005.3.14)
【手続補正１】
【補正対象書類名】特許請求の範囲
【補正対象項目名】全文
【補正方法】変更
【補正の内容】
【特許請求の範囲】
【請求項１】
印刷機において、
上下に積み重ねられた２つの９胴式サテライト型印刷ユニット（０２）を備えた少なくとも１つの第１の印刷タワー（Ｔ１；Ｔ２；Ｔ３）が設けられており、上位の９胴式サテライト型印刷ユニット（０２）の印刷箇所の上方の１水平面上に、２つの３胴式印刷装置（１５１）が配置されており、サテライト型印刷ユニット（０２）および３胴式印刷装置（１５１）の胴が、新聞サイズの、縦置きに相並んで配置された６印刷面を印刷するための幅を有して形成されていることを特徴とする、印刷機。
【請求項２】
両方の別の印刷装置（１５１）が、６胴式印刷ユニット（１５２）として形成されている、請求項１記載の印刷機。
【請求項３】
印刷機であって、
第１の印刷タワー（Ｔ１；Ｔ２；Ｔ３）に関して上下に積み重ねて配置された少なくとも２つのサテライト型印刷ユニット（０２）を備えている形式のものにおいて、
両方のサテライト型印刷ユニット（０２）に、追加的に上位のサテライト型印刷ユニット（０２）の印刷箇所の上方の１水平面上で、２つの印刷装置（１５１）を備えた別の印刷ユニット（１５２）が対応配置されており、これらの２つの印刷装置（１５１）によって、上下に積み重ねて配置された両方のサテライト型印刷ユニット（０２）において片面で印刷された少なくとも２つのウェブ（Ｂ１０；Ｂ２０；Ｂ３０；Ｂ４０）が、別の片面で単色印刷可能であり、サテライト型印刷ユニット（０２）および別の印刷装置（１５１）の胴が、新聞サイズの、縦置きに相並んで配置された６印刷面を印刷するための幅を有して形成されていることを特徴とする、印刷機。
【請求項４】
サテライト型印刷ユニット（０２）が、オフセット印刷装置として形成された印刷装置を備えている、請求項１または３記載の印刷機。
【請求項５】
３胴式印刷装置（１５１）が、間接的な平版印刷のための印刷装置として形成されている、請求項１、２または３記載の印刷機。
【請求項６】
両方の別の印刷装置（１５１）が、６胴式印刷ユニット（１５２）として形成されている、請求項３記載の印刷機。
【請求項７】
別の印刷装置（１５１）もしくは少なくとも２つの別の印刷装置（１５１）もしくは６胴式印刷ユニット（１５２）が、第１の印刷タワー（Ｔ１；Ｔ２；Ｔ３）に積み重ねて配置されている、請求項１、２、３または６記載の印刷機。
【請求項８】
別の印刷装置（１５１）もしくは少なくとも２つの別の印刷装置（１５１）もしくは６胴式印刷ユニット（１５２）が、互いに対応配置された２つのサテライト型印刷ユニット（０２）を備えた、第１の印刷タワー（Ｔ１；Ｔ２；Ｔ３）に隣接する印刷タワー（Ｔ１；Ｔ２；Ｔ３）に積み重ねて配置されている、請求項１、２、３または６記載の印刷機。
【請求項９】
印刷タワー（Ｔ１；Ｔ２；Ｔ３）の、互いに対応配置された２つのサテライト型印刷ユニット（０２）によって、選択的に、２つのウェブ（Ｂ１０；Ｂ２０；Ｂ３０；Ｂ４０）が、それぞれ片面で多色印刷可能になっているか、または１つのウェブ（Ｂ１０；Ｂ２０；Ｂ３０；Ｂ４０）が、両面で多色印刷可能になっている、請求項１、３または８記載の印刷機。
【請求項１０】
サテライト型印刷ユニット（０２）が、それぞれ９胴式サテライト型印刷ユニット（０２）として形成されている、請求項３または８記載の印刷機。
【請求項１１】
サテライト型印刷ユニット（０２）と両方の印刷装置（１５１）とが、互いに対応配置されており、１つのウェブが、１運転形式でサテライト型印刷ユニット（０２）の１つと３胴式印刷装置の１つとを通って案内されるようになっている、請求項２または３記載の印刷機。
【請求項１２】
サテライト型印刷ユニット（０２）と両方の印刷装置（１５１）とが、互いに対応配置されており、１つのウェブが、選択的に第１の運転形式で両方のサテライト型印刷ユニットを通って案内され、第２の運転形式でサテライト型印刷ユニットの１つと３胴式印刷装置の１つとを通って案内され、また第３の運転形式で専ら両方の３胴式印刷装置を通って案内されるようになっている、請求項２または３記載の印刷機。
【請求項１３】
サテライト型印刷ユニット（０２）と両方の印刷装置（１５１）とが、互いに対応配置されており、１運転形式で２つのウェブが、それぞれサテライト型印刷ユニット（０２）の１つと３胴式印刷装置（１５１）の１つとを通って案内されるようになっている、請求項２または３記載の印刷機。
【請求項１４】
２つのウェブが、同じ印刷タワー（Ｔ１；Ｔ２；Ｔ３）の両方のサテライト型印刷ユニット（０２）を通って案内されるようになっている、請求項１３記載の印刷機。
【請求項１５】
サテライト型印刷ユニット（０２）と両方の印刷装置（１５１）とが、互いに対応配置されており、選択的に、第１の運転形式で第１のウェブが、両方のサテライト型印刷ユニットを通って案内され、かつ第２のウェブが、両方の３胴式印刷装置を通って案内され、また第２の運転形式で２つのウェブが、それぞれサテライト型印刷ユニットの１つと３胴式印刷装置（１５１）の１つとを通って案内されるようになっている、請求項２または３記載の印刷機。
【請求項１６】
２つのウェブが、印刷タワー（Ｔ１；Ｔ２；Ｔ３）と両方の印刷装置（１５１）とを通って案内されていて、これらのウェブが、印刷後にそれぞれ片面で多色印刷され、かつ別の片面で単色印刷されるようになっている、請求項２または３記載の印刷機。
【請求項１７】
２つのうちの１つのウェブが、印刷タワー（Ｔ１；Ｔ２；Ｔ３）を通って案内され、かつ別の１つのウェブが、専ら両方の印刷装置（１５１）を通って案内されていて、１つのウェブが、両面で多色印刷され、かつ別の１つのウェブが、両面で単色印刷されるようになっている、請求項２または３記載の印刷機。
【請求項１８】
２つのうちの１つのウェブが、印刷タワーを通って案内され、かつ別の１つのウェブが、専ら両方の印刷装置（１５１）を通って案内されていて、１つのウェブが、両面で多色印刷され、かつ別の１つのウェブが、片面で２色印刷されるようになっている、請求項２または３記載の印刷機。
【請求項１９】
印刷機であって、
それぞれ２つのサテライト型印刷ユニットを備えた複数の印刷タワー（Ｔ１；Ｔ２；Ｔ３）を備えている形式のものにおいて、
当該印刷機が、追加的に少なくとも２つの３胴式印刷装置（１５１）か、または２つの３胴式印刷装置（１５１）を備えた１つの６胴式印刷ユニット（１５２）を備えており、２つの印刷装置（１５１）または６胴式印刷ユニット（１５２）が、互いに対になって隣接する少なくとも２つの印刷タワー（Ｔ１；Ｔ２；Ｔ３）に積み重ねて配置されており、サテライト型印刷ユニット（０２）および別の印刷装置（１５１）の胴が、新聞サイズの、縦置きに相並んで配置された６つの印刷面を印刷するための幅を有して形成されていることを特徴とする、印刷機。
【請求項２０】
サテライト型印刷ユニット（０２）の印刷装置（１３）が、それぞれ少なくとも残りの印刷装置（１３）から機構的に独立した駆動モータ（６１）によって駆動されるようになっている、請求項１、３または１９記載の印刷機。
【請求項２１】
当該印刷機が、それぞれ対になって隣接する少なくとも３つの印刷タワー（Ｔ１；Ｔ２；Ｔ３）を備えており、２つの３胴式印刷装置（１５１）または少なくとも１つの６胴式印刷ユニットが、３つのうちの１つの印刷タワー（Ｔ１；Ｔ２；Ｔ３）に積み重ねて配置されている、請求項１、４または１９記載の印刷機。
【請求項２２】
３つの印刷タワーに、共通の１つの６胴式印刷ユニットもしくは共通の２つの３胴式印刷装置（１５１）が対応配置されており、６胴式印刷ユニットもしくは３胴式印刷装置（１５１）が、３つのうちの中央の印刷タワー（Ｔ１；Ｔ２；Ｔ３）に積み重ねて配置されている、請求項２１記載の印刷機。
【請求項２３】
３つのウェブが、両方の印刷タワー（Ｔ１；Ｔ２；Ｔ３）と６胴式印刷ユニット（１５２）もしくは両方の印刷装置（１５１）とを通って案内されていて、これらのウェブのうちの２つのウェブが、印刷後にそれぞれ片面で多色印刷され、かつ別の片面で単色印刷され、また第３のウェブが、両面で多色印刷されるようになっている、請求項１９記載の印刷機。
【請求項２４】
３つのうちの２つのウェブが、２つの印刷タワー（Ｔ１；Ｔ２；Ｔ３）を通って案内されていて、かつ第３のウェブが、専ら６胴式印刷ユニット（１５２）もしくは両方の印刷装置（１５１）を通って案内されていて、両方のウェブが、両面で多色印刷され、また第３のウェブが、両面で単色印刷されるようになっている、請求項１９記載の印刷機。
【請求項２５】
４つのウェブが、３つの印刷タワーと６胴式印刷ユニットとを通って案内されていて、４つのうちの２つのウェブが、印刷後に片面で多色印刷され、かつ別の片面で単色印刷され、また別の２つのウェブが、両面で多色印刷されるようになっている、請求項２１記載の印刷機。
【請求項２６】
印刷機が、印刷タワー（Ｔ１；Ｔ２；Ｔ３）の１つから６胴式印刷ユニット（１５２）もしくは２つの印刷装置（１５１）にウェブを案内するための手段を備えている、請求項１から２５までのいずれか１項記載の印刷機。
【請求項２７】
多色印刷された面が、４色印刷されている、請求項９、１６、１７、１８、２３、２４または２５記載の印刷機。
【請求項２８】
４つのウェブが、３つの印刷タワーと６胴式印刷ユニットとによって印刷され、片面で多色印刷されかつ別の片面で単色印刷された２つのウェブが、印刷後に、折りフォーマ構造（ＴＲ）に向かう経路上で、両面で多色印刷された２つのウェブの間に位置する、請求項２５記載の印刷機の運転形式。
【請求項２９】
片面で多色印刷されかつ別の片面で単色印刷された２つのウェブが、３つのうちの中央の印刷タワーと６胴式印刷ユニットとを通走するようになっている、請求項２５記載の印刷機または請求項２８記載の運転形式。
【請求項３０】
４つのウェブが、３つの印刷タワーと６胴式印刷ユニットとによって印刷されるようになっていて、片面で多色印刷されかつ別の片面で単色印刷された２つのウェブが、印刷後に、折りフォーマ構造（ＴＲ）に向かう経路上で、両面で多色印刷された２つのウェブの下方に位置するようになっている、請求項２５記載の印刷機または請求項２８記載の運転形式。
【請求項３１】
片面で多色印刷されかつ別の片面で単色印刷された２つのウェブが、３つの印刷タワーのうちの、折りフォーマ構造（ＴＲ）に近接する印刷タワーと６胴式印刷ユニットとを通走するようになっている、請求項２５記載の印刷機または請求項２８記載の運転形式。
【請求項３２】
４つのウェブが、３つの印刷タワーと６胴式印刷ユニットとによって印刷されるようになっていて、片面で多色印刷されかつ別の片面で単色印刷された２つのウェブが、印刷後に、折りフォーマ構造（ＴＲ）に向かう経路上で、両面で多色印刷された２つのウェブの上方に位置するようになっている、請求項２５記載の印刷機または請求項２８記載の運転形式。
【請求項３３】
片面で多色印刷されかつ別の片面で単色印刷された２つのウェブが、３つの印刷タワーのうちの、折りフォーマ構造（ＴＲ）から離間して位置する印刷タワーと６胴式印刷ユニットとを通走するようになっている、請求項２５記載の印刷機または請求項２８記載の運転形式。
【請求項３４】
印刷機が、ウェブを案内するための手段を備えており、該ウェブガイド手段が、選択的に請求項２８、３０および／または３２に記載の印刷機の運転を実現するようになっている、請求項２５記載の印刷機または請求項２８記載の運転形式。
【請求項３５】
サテライト型印刷ユニット（０２）が、それぞれ版胴（１６）および転写胴（１７）から成る複数の胴対と、少なくとも１つの転写胴（１７）と協働する少なくとも１つの共通圧胴（１８）とを備えている、請求項１から３４までのいずれか１項記載の印刷機。
【請求項３６】
サテライト型印刷ユニット（０２）が、４つの胴対と、４つの転写胴（１７）に対応配置された１つの共通圧胴（１８）とを備えている、請求項３５記載の印刷機。
【請求項３７】
サテライト型印刷ユニット（０２）が、４つの胴対と、それぞれ２つの転写胴（１７）に対応配置された２つの共通圧胴（１８）とを備えている、請求項３５記載の印刷機。
【請求項３８】
それぞれ２つの胴対が、駆動結合部として、別の駆動結合部から独立した共通の駆動モータ（６１）によって回転駆動されるようになっている、請求項３５記載の印刷機。
【請求項３９】
共通圧胴（１８）が、駆動結合部の１つによって駆動されるようになっている、請求項３８記載の印刷機。
【請求項４０】
共通圧胴（１８）が、少なくとも１つの独自の駆動モータ（６１）によって、胴対から独立して駆動されるようになっている、請求項３５、３６、３７または３８記載の印刷機。
【請求項４１】
両方の共通圧胴（１８）が、少なくとも１つの共通の駆動モータ（６１）によって、胴対から独立して駆動されるようになっている、請求項３７記載の印刷機。
【請求項４２】
胴対が、少なくとも１つの独自の駆動モータ（６１）によって、別の胴対から独立して駆動されるようになっている、請求項３５、３６または３７記載の印刷機。
【請求項４３】
胴対の各胴（１６；１７）が、独自の駆動モータ（６１）を備えている、請求項３５、３６または３７記載の印刷機。
【請求項４４】
胴対の両方の胴（１６；１７）が、互いに連結されていて、かつ共通の駆動モータ（６１）によって駆動されるようになっている、請求項３５、３６または３７記載の印刷機。
【請求項４５】
インキ装置（１４）が、該インキ装置に対応配置された版胴（１６）の駆動によって駆動されるようになっている、請求項３８、４３または４４記載の印刷機。
【請求項４６】
インキ装置（１４）が、該インキ装置に対応配置された版胴（１６）の駆動から独立して、独自の駆動モータ（６４）によって駆動されるようになっている、請求項３８、４３または４４記載の印刷機。
【請求項４７】
別の印刷装置（１５１）が、版胴（１６）および転写胴（１７）から成る胴対と、転写胴（１７）と協働する共通圧胴（１８）とを備えている、請求項１から４６までのいずれか１項記載の印刷機。
【請求項４８】
６胴式印刷ユニット（１５２）が、それぞれ版胴（１６）および転写胴（１７）から成る２つの胴対と、胴対ごとに１つの、転写胴（１７）と協働する対抗圧胴（１８）とを備えている、請求項１から４７までのいずれか１項記載の印刷機。
【請求項４９】
単数または複数の胴対が、少なくとも１つの独自の駆動モータによって、別の胴対から独立して駆動されるようになっている、請求項４７または４８記載の印刷機。
【請求項５０】
単数または複数の胴対の各胴が、独自の駆動モータを備えている、請求項４７または４８記載の印刷機。
【請求項５１】
胴対の両方の胴（１６；１７）が、互いに連結されていて、かつ共通の駆動モータによって駆動されるようになっている、請求項４７または４８記載の印刷機。
【請求項５２】
インキ装置が、該インキ装置に対応配置された版胴（１６）の駆動によって駆動されるようになっている、請求項４７、４８、４９、５０、または５１記載の印刷機。
【請求項５３】
インキ装置が、該インキ装置に対応配置された版胴（１６）の駆動から独立して、独自の駆動モータによって駆動されるようになっている、請求項４７、４８、４９、５０、または５１記載の印刷機。
【請求項５４】
対抗圧胴が、独自の駆動モータによって、胴対および別の対抗圧胴（１８）から独立して駆動されるようになっている、請求項４７または４８記載の印刷機。
【請求項５５】
両方の対抗圧胴（１８）が、少なくとも１つの共通の駆動モータによって、胴対から独立して駆動されるようになっている、請求項４８記載の印刷機。
【請求項５６】
対抗圧胴（１８）が、該対抗圧胴（１８）に対応配置された胴対によって駆動されるようになっている、請求項４７または４８記載の印刷機。
【請求項５７】
胴対の胴（１６；１７）が、対ごとにそれぞれ１つの駆動モータによって駆動されるようになっており、対抗圧胴（１８）が、それぞれ個別的に各駆動モータによって駆動されるようになっている、請求項４８記載の印刷機。
【請求項５８】
３つの印刷タワー（Ｔ１；Ｔ２；Ｔ３）で印刷したあとで折りフォーマ走入経路上で隣接する４つのうちの２つのウェブが、それぞれ片面で多色印刷、特に４色印刷されかつ別の片面で単色印刷され、また別の２つのウェブが、両面で多色印刷、特に４色印刷されるようになっていることを特徴とする、印刷機の印刷製品。
【請求項５９】
４つのウェブが、下方から上方にかけてみて、最下位の第１のウェブ１：４（下面１色：上面４色）、第２のウェブ４：１、第３のウェブ４：４および第４のウェブ４：４の色調を有している、請求項５８記載の印刷製品。
【請求項６０】
４つのウェブが、下方から上方にかけてみて、最下位の第１のウェブ４：４（下面４色：上面４色）、第２のウェブ１：４、第３のウェブ４：１および第４のウェブ４：４の色調を有している、請求項５８記載の印刷製品。
【請求項６１】
４つのウェブが、下方から上方にかけてみて、最下位の第１のウェブ４：４（下面４色：上面４色）、第２のウェブ１：４、第３のウェブ４：１および第４のウェブ４：４の色調を有している、請求項５８記載の印刷製品。
【請求項６２】
３つの印刷タワー（Ｔ１；Ｔ２；Ｔ３）で印刷したあとで折りフォーマ走入経路上で隣接する４つのうちの３つのウェブが、それぞれ両面で多色印刷、特に４色印刷され、また別の１つのウェブが、両面で単色印刷されるようになっていることを特徴とする、印刷機の印刷製品。
【請求項６３】
４つのウェブが、下方から上方にかけてみて、最下位の第１のウェブ４：４（下面４色：上面４色）、第２のウェブ１：１、第３のウェブ４：４および第４のウェブ４：４の色調を有している、請求項６２記載の印刷製品。
【請求項６４】
４つのウェブが、下方から上方にかけてみて、最下位の第１のウェブ４：４（下面４色：上面４色）、第２のウェブ４：４、第３のウェブ１：１および第４のウェブ４：４の色調を有している、請求項６２記載の印刷製品。
【請求項６５】
印刷装置が、特に新聞サイズの、縦置きに相並んで配置された６つの印刷面を印刷するための幅を有して形成されている、請求項１から６４までのいずれか１項記載の印刷機、印刷機の運転形式または印刷製品。
【請求項６６】
印刷装置の少なくとも版胴の周長さが、実質的に特に新聞サイズの２印刷面の２倍長さである長さに相当する、請求項１から６５までのいずれか１項記載の印刷機、印刷機の運転形式または印刷製品。
【請求項６７】
印刷装置の版胴（１６）が、軸方向で相並んで６つの版板を備えている、請求項１から６６までのいずれか１項記載の印刷機、印刷機の運転形式または印刷製品。
【請求項６８】
単数または複数の印刷済のウェブ（Ｂ１０；Ｂ２０；Ｂ３０；Ｂ４０）を後続処理するために、搬送胴（１２３）を備えた折り装置（１２）が設けられており、該搬送胴（１２３）が、周方向で相前後して配置された少なくとも７つの製品区分長さを収容するための周長さを有して形成されている、請求項１、３または１４記載の印刷機。
【請求項６９】
単数または複数の印刷済のウェブ（Ｂ１０；Ｂ２０；Ｂ３０；Ｂ４０）を後続処理するために、折り装置（１２）が設けられており、該折り装置の胴（１２３；１３２；１２７）が、印刷ユニット（０２；１５２）の印刷装置（１３；１５１）から機構的に独立した少なくとも１つの駆動モータ（１３６）によって駆動されるようになっている、請求項１、３または１４記載の印刷機。
【請求項７０】
折り装置（１２）が、搬送胴（１２３）を備えており、該搬送胴（１２３）が、周方向で相前後して配置された少なくとも７つの製品区分長さを収容するための周長さを有して形成されている、請求項６９記載の印刷機。
【請求項７１】
搬送胴（１２３）に、相並んで配置された３つの折りフォーマ（１０１；１０２；１０３；１０６；１０７；１０８）から同時に３つのストランド（１０９；１１１；１１２；１１３；１１４；１１６）が供給可能になっている、請求項６８または７０記載の印刷機。
【請求項７２】
搬送胴（１２３）が、周方向でみて相前後して７つの保持装置（１２９）を備えている、請求項６８または７０記載の印刷機。
【請求項７３】
折り装置（１２）が、入口領域で、それぞれ独立して駆動される２つの引張りローラ（１２４）を備えている、請求項６８または６９記載の印刷機。
【請求項７４】
折り装置（１２）が、搬送胴（１２３）と協働する２つの断裁胴（１２７）を備えている、請求項６８または７０記載の印刷機。
【請求項７５】
サテライト型印刷ユニット（０２）、追加的な単数または複数の印刷装置（１５１）ならびに折り装置（１２）が、それぞれ機構的に互いに独立して駆動モータ（６１；１３６）によって回転駆動されるようになっている、請求項６８または７０記載の印刷機。
【請求項７６】
上下に積み重ねて配置された複数のサテライト型印刷ユニット（０２）および複数の３胴式印刷装置（１５１）が、軸方向で相並んで配置された複数の版板（１９）のためのスリット状の複数の開口を有する複数の版胴（１６）を備えており、これらの開口が、連続して延びるスリット状の開口として列状に配置されている、請求項１、３または１９記載の印刷機。
【請求項７７】
上下に積み重ねて配置された複数のサテライト型印刷ユニット（０２）および複数の３胴式印刷装置（１５１）が、転写胴（１７）に沿って相並んで配置された３つのゴムブランケット（２１）のための複数の開口を有する複数の転写胴（１７）を備えている、請求項１、３または１９記載の印刷機。
【請求項７８】
複数の開口が、長手方向で連続して延びておらず、交互に周方向でみて１８０°ずらされている、請求項７７記載の印刷機。
【請求項７９】
上下に積み重ねて配置された複数のサテライト型印刷ユニット（０２）および複数の３胴式印刷装置（１５１）が、外套面に被覆体（２１）を有する複数の転写胴（１７）を備えており、これらの転写胴（１７）が、胴表面に弾性かつ／または圧縮性の層（２２）の配置された支持板（２３）を備えている、請求項１、３または１９記載の印刷機。
【請求項８０】
３胴式印刷装置（１５１）の、版胴（１６）および転写胴（１７）として形成された胴対が、少なくとも１つの独自の駆動モータ（６１）によって、別の胴対から独立して駆動されるようになっている、請求項１、３または１９記載の印刷機。
【国際調査報告】
2006513072.tif 000029
2006513072.tif 000030
2006513072.tif 000031
2006513072.tif 000032
2006513072.tif 000033
2006513072.tif 000034